(57)【要約】【課題】  すでにチラシの配布日が決定済みのチラシの配布エリアを公開することで、チラシの配布エリアを面として表示させ、一見して配布エリアが認識できるようにすること。また、新聞の折り込まれるチラシを利用して、特定の配布エリアにて無差別的に配布が可能なことを公開して、共同広告に参加をしたいという気持ちを広告依頼人に高めさせること。【解決手段】  クライアント端末３からサーバ装置１にアクセスすると、クライアント端末３の画面の地図が表示される。チラシを配布したい地域名を入力すると、該地域内でのスーパーがチラシを配布する配布エリアがクライアント端末３の画面の地図上に重ね合わせて表示される。広告日一覧表示部６８の日にちの数字をクリックすると、当該日にチラシが配布される配布エリアＤＡは表示が維持され、当該日にチラシが配布されない配布エリアＤＡが消去される。【選択図】  図２２
2009277160.tif 000002
【特許請求の範囲】
【請求項１】
チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開システムであって、
前記チラシを印刷する印刷会社が管理するサーバ装置（１）と、共同広告を依頼する広告依頼人側のクライアント端末（３）と、このクライアント端末（３）の画面に電子地図を表示させるべく電子地図データを管理・提供する地図会社が管理する電子地図データ提供端末（５）とがインターネット（２）にて接続されており、
前記電子地図データ提供端末（５）のデータベースには、複数のチラシ配布主の店舗位置と、この各店舗位置の周囲を囲い前記チラシ配布主がチラシを配布する配布エリア（ＤＡ）とが記憶保存されており、
前記サーバ装置（１）は、
前記複数のチラシ配布主と、これらチラシ配布主による新聞の折り込みチラシとして既に配布が決定済みであって各チラシが配布される配布日と、前記チラシの配布エリア（ＤＡ）がそれぞれ存在している複数の地域名とが記憶保存されるデータベース（１６）と、
前記クライアント端末（３）からサーバ装置（１）にアクセスされた時に、前記電子地図データ提供端末（５）からの電子地図と、前記データベース（１６）から読み出した複数の地域名を前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）とを前記電子地図データ提供端末（５）のデータベースを検索して抽出すると共に、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と
を備えていることを特徴とする共同チラシの参加のための情報公開システム。
【請求項２】
チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開システムであって、
前記チラシを印刷する印刷会社が管理するサーバ装置（１）と、共同広告を依頼する広告依頼人側のクライアント端末（３）と、このクライアント端末（３）の画面に電子地図を表示させるべく電子地図データを管理・提供する地図会社が管理する電子地図データ提供端末（５）とがインターネット（２）にて接続されており、
前記電子地図データ提供端末（５）のデータベースには、複数のチラシ配布主の店舗位置と、この各店舗位置の周囲を囲い前記チラシ配布主がチラシを配布する配布エリア（ＤＡ）とが記憶保存されており、
前記サーバ装置（１）は、
前記複数のチラシ配布主と、これらチラシ配布主による新聞の折り込みチラシとして既に配布が決定済みであって各チラシが配布される配布日と、チラシの配布枚数と、チラシの配布費用と、前記チラシの配布エリア（ＤＡ）がそれぞれ存在している複数の地域名とが記憶保存されるデータベース（１６）と、
前記クライアント端末（３）からサーバ装置（１）にアクセスされた時に、前記電子地図データ提供端末（５）からの電子地図と、前記データベース（１６）から読み出した複数の地域名を前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）とを前記電子地図データ提供端末（５）のデータベースを検索して抽出すると共に、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と、
前記第２の表示制御手段にて表示されている店舗位置の選択操作による検索要求により、前記データベース（１６）を検索して前記クライアント端末（３）の画面に当該配布主が配布するチラシの配布枚数及び費用を表示させる第３の表示制御手段と
を備えていることを特徴とする共同チラシの参加のための情報公開システム。
【請求項３】
チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開システムであって、
前記チラシを印刷する印刷会社が管理するサーバ装置（１）と、共同広告を依頼する広告依頼人側のクライアント端末（３）とがインターネット（２）にて接続されており、
前記サーバ装置（１）は、
前記クライアント端末（３）の画面に表示させる地図データと、複数のチラシ配布主と、これら配布主の店舗位置と、これらの配布主による新聞の折り込みチラシとして既に配布が決定済みであって各チラシが配布される配布日と、前記チラシがそれぞれ配布される複数の地域名と、前記各地域名内における各配布主の店舗位置の周囲を囲ったチラシの配布エリア（ＤＡ）とが記憶保存されるデータベース（１６）と、
前記クライアント端末（３）からサーバ装置（１）にアクセスされた時に、地図データ及び複数の地域名を前記データベース（１６）から読み出して前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）と、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と
を備えていることを特徴とする共同チラシの参加のための情報公開システム。
【請求項４】
チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開システムであって、
前記チラシを印刷する印刷会社が管理するサーバ装置（１）と、共同広告を依頼する広告依頼人側のクライアント端末（３）とがインターネット（２）にて接続されており、
前記サーバ装置（１）は、
前記クライアント端末（３）の画面に表示させる地図データと、複数のチラシ配布主と、これら配布主の店舗位置と、これらの配布主による新聞の折り込みチラシとして既に配布が決定済みであって各チラシが配布される配布日と、チラシの配布枚数と、チラシの配布費用と、前記チラシがそれぞれ配布される複数の地域名と、前記各地域名内における各配布主の店舗位置の周囲を囲ったチラシの配布エリア（ＤＡ）とが記憶保存されるデータベース（１６）と、
前記クライアント端末（３）からサーバ装置（１）にアクセスされた時に、地図データ及び複数の地域名を前記データベース（１６）から読み出して前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）と、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と、
前記第２の表示制御手段にて表示されている店舗位置の選択操作による検索要求により、前記データベース（１６）を検索して前記クライアント端末（３）の画面に当該配布主が配布するチラシの配布枚数及び費用を表示させる第３の表示制御手段と
を備えていることを特徴とする共同チラシの参加のための情報公開システム。
【請求項５】
請求項１〜請求項４のいずれかに記載の共同チラシの参加のための情報公開システムにおいて、
前記共同チラシの参加数は予め所定の件数が決められており、
前記サーバ装置（１）には、広告申込がすでに所定の申込件数に達しているか否かを管理する広告申込確認制御手段（３４）を備えており、
前記制御手段により当該配布日にチラシを配布する配布主の配布エリア（ＤＡ）を前記クライアント端末（３）の画面に表示させる際に、前記広告申込確認制御手段（３４）により広告申込がすでに所定の申込件数に達している場合には、配布エリア（ＤＡ）を着色表示させる第４の表示制御手段を備えていることを特徴とする共同チラシの参加のための情報公開システム。
【請求項６】
請求項１〜請求項４のいずれかに記載の共同チラシの参加のための情報公開システムにおいて、
前記サーバ装置（１）には、前記店舗位置の選択操作がなされたときに、該選択操作された店舗の配布エリア（ＤＡ）を着色表示させる第５の表示制御手段を備えていることを特徴とする共同チラシの参加のための情報公開システム。
【請求項７】
チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開方法であって、
前記チラシを印刷する印刷会社が管理するサーバ装置（１）と、共同広告を依頼する広告依頼人側のクライアント端末（３）と、このクライアント端末（３）の画面に電子地図を表示させるべく電子地図データを管理・提供する地図会社が管理する電子地図データ提供端末（５）とがインターネット（２）にて接続されており、
前記電子地図データ提供端末（５）のデータベースには、複数のチラシ配布主の店舗位置と、この各店舗位置の周囲を囲い前記チラシ配布主がチラシを配布する配布エリア（ＤＡ）とが記憶保存されており、
前記サーバ装置（１）は、
前記複数のチラシ配布主と、これらチラシ配布主による新聞の折り込みチラシとして既に配布が決定済みであって各チラシが配布される配布日と、前記チラシの配布エリア（ＤＡ）がそれぞれ存在している複数の地域名とが記憶保存されるデータベース（１６）と、
前記クライアント端末（３）からサーバ装置（１）にアクセスされた時に、前記電子地図データ提供端末（５）からの電子地図と、前記データベース（１６）から読み出した複数の地域名を前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）とを前記電子地図データ提供端末（５）のデータベースを検索して抽出すると共に、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と
を備え、
前記サーバ装置（１）が、
前記クライアント端末（３）からサーバ装置（１）にアクセスされた時に、前記第１の表示制御手段により、前記電子地図データ提供端末（５）からの電子地図と、前記データベース（１６）から読み出した複数の地域名を前記クライアント端末（３）の画面に表示させる第１の表示制御ステップと、
前記第１の表示制御ステップにて表示されている地域名の中から前記クライアント端末（３）から選択ないし入力された地域名による該クライアント端末（３）からの検索要求により、前記検索手段でもって該地域名内での配布主の店舗位置と、前記チラシの配布エリア（ＤＡ）とを前記電子地図データ提供端末（５）のデータベースを検索して抽出すると共に、該当する配布主が配布するチラシの配布日を前記データベース（１６）を検索して抽出する検索ステップと、
前記検索ステップの検索・抽出結果の表示要求により、前記第２の表示制御手段でもって地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御ステップと、
前記第２の表示制御ステップにより前記クライアント端末（３）の画面に表示されている配布日から任意の配布日の検索要求により前記制御手段でもって、当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御ステップと
を実行することを特徴とする共同チラシの参加のための情報公開方法。
【請求項８】
チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開方法であって、
前記チラシを印刷する印刷会社が管理するサーバ装置（１）と、共同広告を依頼する広告依頼人側のクライアント端末（３）と、このクライアント端末（３）の画面に電子地図を表示させるべく電子地図データを管理・提供する地図会社が管理する電子地図データ提供端末（５）とがインターネット（２）にて接続されており、
前記電子地図データ提供端末（５）のデータベースには、複数のチラシ配布主の店舗位置と、この各店舗位置の周囲を囲い前記チラシ配布主がチラシを配布する配布エリア（ＤＡ）とが記憶保存されており、
前記サーバ装置（１）は、
前記複数のチラシ配布主と、これらチラシ配布主による新聞の折り込みチラシとして既に配布が決定済みであって各チラシが配布される配布日と、チラシの配布枚数と、チラシの配布費用と、前記チラシの配布エリア（ＤＡ）がそれぞれ存在している複数の地域名とが記憶保存されるデータベース（１６）と、
前記クライアント端末（３）からサーバ装置（１）にアクセスされた時に、前記電子地図データ提供端末（５）からの電子地図と、前記データベース（１６）から読み出した複数の地域名を前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）とを前記電子地図データ提供端末（５）のデータベースを検索して抽出すると共に、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と、
前記第２の表示制御手段にて表示されている店舗位置の選択操作による検索要求により、前記データベース（１６）を検索して前記クライアント端末（３）の画面に当該配布主が配布するチラシの配布枚数及び費用を表示させる第３の表示制御手段と
を備え、
前記サーバ装置（１）が、
前記クライアント端末（３）からサーバ装置（１）にアクセスされた時に、前記第１の表示制御手段により、前記電子地図データ提供端末（５）からの電子地図と、前記データベース（１６）から読み出した複数の地域名を前記クライアント端末（３）の画面に表示させる第１の表示制御ステップと、
前記第１の表示制御ステップにて表示されている地域名の中から前記クライアント端末（３）から選択ないし入力された地域名による該クライアント端末（３）からの検索要求により、前記検索手段でもって該地域名内での配布主の店舗位置と、前記チラシの配布エリア（ＤＡ）とを前記電子地図データ提供端末（５）のデータベースを検索して抽出すると共に、該当する配布主が配布するチラシの配布日を前記データベース（１６）を検索して抽出する検索ステップと、
前記検索ステップの検索・抽出結果の表示要求により、前記第２の表示制御手段でもって地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御ステップと、
前記第２の表示制御ステップにより前記クライアント端末（３）の画面に表示されている配布日から任意の配布日の検索要求により前記制御手段でもって、当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御ステップと、
前記第２の表示制御ステップにて表示されている店舗位置の選択操作による検索要求により、前記第３の表示制御手段でもって前記データベース（１６）を検索して前記クライアント端末（３）の画面に当該配布主が配布するチラシの配布枚数及び費用を表示させる第３の表示制御ステップと
を実行することを特徴とする共同チラシの参加のための情報公開方法。
【請求項９】
チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開方法であって、
前記チラシを印刷する印刷会社が管理するサーバ装置（１）と、共同広告を依頼する広告依頼人側のクライアント端末（３）とがインターネット（２）にて接続されており、
前記サーバ装置（１）は、
前記クライアント端末（３）の画面に表示させる地図データと、複数のチラシ配布主と、これら配布主の店舗位置と、これらの配布主による新聞の折り込みチラシとして既に配布が決定済みであって各チラシが配布される配布日と、前記チラシがそれぞれ配布される複数の地域名と、前記各地域名内における各配布主の店舗位置の周囲を囲ったチラシの配布エリア（ＤＡ）とが記憶保存されるデータベース（１６）と、
前記クライアント端末（３）からサーバ装置（１）にアクセスされた時に、地図データ及び複数の地域名を前記データベース（１６）から読み出して前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）と、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と
を備え、
前記サーバ装置（１）が、
前記クライアント端末（３）からサーバ装置（１）にアクセスされた時に、前記第１の表示制御手段により、地図データ及び複数の地域名を前記データベース（１６）から読み出して前記クライアント端末（３）の画面に表示させる第１の表示制御ステップと、
前記第１の表示制御ステップにて表示されている地域名の中から前記クライアント端末（３）から選択ないし入力された地域名による該クライアント端末（３）からの検索要求により、前記検索手段でもって該地域名内での配布主の店舗位置と、前記チラシの配布エリア（ＤＡ）と、該当する配布主が配布するチラシの配布日を前記データベース（１６）を検索して抽出する検索ステップと、
前記検索ステップの検索・抽出結果の表示要求により、前記第２の表示制御手段でもって地域名内での配布主の店舗位置及び前記チラシの配布エリア（ＤＡ）を、前記第１の表示制御ステップにてクライアント端末（３）の画面に表示されている地図上に重ね合わせて表示させると共に、該当するチラシの配布日のすべてを一覧表示させる第２の表示制御ステップと、
前記第２の表示制御ステップにより前記クライアント端末（３）の画面に表示されている配布日から任意の配布日の検索要求により前記制御手段でもって、当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御ステップと
を実行することを特徴とする共同チラシの参加のための情報公開方法。
【請求項１０】
チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開方法であって、
前記チラシを印刷する印刷会社が管理するサーバ装置（１）と、共同広告を依頼する広告依頼人側のクライアント端末（３）とがインターネット（２）にて接続されており、
前記サーバ装置（１）は、
前記クライアント端末（３）の画面に表示させる地図データと、複数のチラシ配布主と、これら配布主の店舗位置と、これらの配布主による新聞の折り込みチラシとして既に配布が決定済みであって各チラシが配布される配布日と、チラシの配布枚数と、チラシの配布費用と、前記チラシがそれぞれ配布される複数の地域名と、前記各地域名における各配布主の店舗位置の周囲を囲ったチラシの配布エリア（ＤＡ）とが記憶保存されるデータベース（１６）と、
前記クライアント端末（３）からサーバ装置（１）にアクセスされた時に、地図データ及び複数の地域名を前記データベース（１６）から読み出して前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）と、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と、
前記第２の表示制御手段にて表示されている店舗位置の選択操作による検索要求により、前記データベース（１６）を検索して前記クライアント端末（３）の画面に当該配布主が配布するチラシの配布枚数及び費用を表示させる第３の表示制御手段と
を備え、
前記サーバ装置（１）が、
前記クライアント端末（３）からサーバ装置（１）にアクセスされた時に、前記第１の表示制御手段により、地図データ及び複数の地域名を前記データベース（１６）から読み出して前記クライアント端末（３）の画面に表示させる第１の表示制御ステップと、
前記第１の表示制御ステップにて表示されている地域名の中から前記クライアント端末（３）から選択ないし入力された地域名による該クライアント端末（３）からの検索要求により、前記検索手段でもって該地域名内での配布主の店舗位置と、前記チラシの配布エリア（ＤＡ）と、該当する配布主が配布するチラシの配布日を前記データベース（１６）を検索して抽出する検索ステップと、
前記検索ステップの検索・抽出結果の表示要求により、前記第２の表示制御手段でもって地域名内での配布主の店舗位置及び前記チラシの配布エリア（ＤＡ）を、前記第１の表示制御ステップにてクライアント端末（３）の画面に表示されている地図上に重ね合わせて表示させると共に、該当するチラシの配布日のすべてを一覧表示させる第２の表示制御ステップと、
前記第２の表示制御ステップにより前記クライアント端末（３）の画面に表示されている配布日から任意の配布日の検索要求により前記検索手段でもって、当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御ステップと、
前記第２の表示制御ステップにて表示されている店舗位置の選択操作による検索要求により、前記第３の表示制御手段でもって前記データベース（１６）を検索して前記クライアント端末（３）の画面に当該配布主が配布するチラシの配布枚数及び費用を表示させる第３の表示制御ステップと
を実行することを特徴とする共同チラシの参加のための情報公開方法。
【請求項１１】
請求項７〜請求項１０のいずれかに記載の共同チラシの参加のための情報公開方法において、
前記共同チラシの参加数は予め所定の件数が決められており、
前記サーバ装置（１）には、広告申込がすでに所定の申込件数に達しているか否かを管理する広告申込確認制御手段（３４）を備えており、
前記サーバ装置（１）は、
前記制御手段により当該配布日にチラシを配布する配布主の配布エリア（ＤＡ）を前記クライアント端末（３）の画面に表示させる際に、前記広告申込確認制御手段（３４）により広告申込がすでに所定の申込件数に達している場合には、配布エリア（ＤＡ）を着色表示させる第４の表示制御手段を備え、
前記サーバ装置（１）が、
前記制御ステップにより当該配布日にチラシを配布する配布主の配布エリア（ＤＡ）を前記クライアント端末（３）の画面に表示させる際に、前記広告申込確認制御手段（３４）により広告申込がすでに所定の申込件数に達している場合には、配布エリア（ＤＡ）を着色表示させる第４の表示制御ステップを
実行することを特徴とする共同チラシの参加のための情報公開方法。
【請求項１２】
請求項７〜請求項１０のいずれかに記載の共同チラシの参加のための情報公開方法において、
前記サーバ装置（１）は、
前記店舗位置の選択操作がなされたときに、該選択操作された店舗の配布エリア（ＤＡ）を着色表示させる第５の表示制御手段を備え、
前記サーバ装置（１）が、
前記店舗位置の選択操作がなされたときに、前記第５の表示制御手段により該選択操作された店舗の配布エリア（ＤＡ）を着色表示させる第５の表示制御ステップを
実行することを特徴とする共同チラシの参加のための情報公開方法。
【請求項１３】
チラシを印刷する印刷会社が管理するサーバ装置（１）と、共同広告を依頼する広告依頼人側のクライアント端末（３）と、このクライアント端末（３）の画面に電子地図を表示させるべく電子地図データを管理・提供する地図会社が管理する電子地図データ提供端末（５）とがインターネット（２）にて接続されており、
前記電子地図データ提供端末（５）のデータベースには、複数のチラシ配布主の店舗位置と、この各店舗位置の周囲を囲い前記チラシ配布主がチラシを配布する配布エリア（ＤＡ）とが記憶保存されており、
前記サーバ装置（１）のデータベース（１６）には、前記複数のチラシ配布主と、これらチラシ配布主による新聞の折り込みチラシとして既に配布が決定済みであって各チラシが配布される配布日と、前記チラシの配布エリア（ＤＡ）がそれぞれ存在している複数の地域名とが記憶保存されていて、
前記チラシ配布主が広告参加のための情報公開する方法のためにコンピュータを、
前記サーバ装置（１）が、
前記クライアント端末（３）からサーバ装置（１）にアクセスされた時に、前記電子地図データ提供端末（５）からの電子地図と、前記データベース（１６）から読み出した複数の地域名を前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）とを前記電子地図データ提供端末（５）のデータベースを検索して抽出すると共に、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と
して機能させるためのプログラム。
【請求項１４】
チラシを印刷する印刷会社が管理するサーバ装置（１）と、共同広告を依頼する広告依頼人側のクライアント端末（３）と、このクライアント端末（３）の画面に電子地図を表示させるべく電子地図データを管理・提供する地図会社が管理する電子地図データ提供端末（５）とがインターネット（２）にて接続されており、
前記電子地図データ提供端末（５）のデータベースには、複数のチラシ配布主の店舗位置と、この各店舗位置の周囲を囲い前記チラシ配布主がチラシを配布する配布エリア（ＤＡ）とが記憶保存されており、
前記サーバ装置（１）のデータベース（１６）には、前記複数のチラシ配布主と、これらチラシ配布主による新聞の折り込みチラシとして既に配布が決定済みであって各チラシが配布される配布日と、チラシの配布枚数と、チラシの配布費用と、前記チラシの配布エリア（ＤＡ）がそれぞれ存在している複数の地域名とが記憶保存されていて、
前記チラシ配布主が広告参加のための情報公開する方法のためにコンピュータを、
前記サーバ装置（１）が、
前記クライアント端末（３）からサーバ装置（１）にアクセスされた時に、前記電子地図データ提供端末（５）からの電子地図と、前記データベース（１６）から読み出した複数の地域名を前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）とを前記電子地図データ提供端末（５）のデータベースを検索して抽出すると共に、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と、
前記第２の表示制御手段にて表示されている店舗位置の選択操作による検索要求により、前記データベース（１６）を検索して前記クライアント端末（３）の画面に当該配布主が配布するチラシの配布枚数及び費用を表示させる第３の表示制御手段と
して機能させるためのプログラム。
【請求項１５】
チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、前記クライアント端末（３）の画面に表示させる地図データと、複数のチラシ配布主と、これら配布主の店舗位置と、これらの配布主による新聞の折り込みチラシとして既に配布が決定済みであって各チラシが配布される配布日と、前記チラシがそれぞれ配布される複数の地域名と、前記各地域名内における各配布主の店舗位置の周囲を囲ったチラシの配布エリア（ＤＡ）とが記憶保存されていて、
前記チラシ配布主が広告参加のための情報公開する方法のためにコンピュータを、
前記サーバ装置（１）が、
前記クライアント端末（３）からサーバ装置（１）にアクセスされた時に、地図データ及び複数の地域名を前記データベース（１６）から読み出して前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）と、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と
して機能させるためのプログラム。
【請求項１６】
チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、前記クライアント端末（３）の画面に表示させる地図データと、複数のチラシ配布主と、これら配布主の店舗位置と、これらの配布主による新聞の折り込みチラシとして既に配布が決定済みであって各チラシが配布される配布日と、チラシの配布枚数と、チラシの配布費用と、前記チラシがそれぞれ配布される複数の地域名と、前記各地域名内における各配布主の店舗位置の周囲を囲ったチラシの配布エリア（ＤＡ）とが記憶保存されていて、
前記チラシ配布主が広告参加のための情報公開する方法のためにコンピュータを、
前記サーバ装置（１）が、
前記クライアント端末（３）からサーバ装置（１）にアクセスされた時に、地図データ及び複数の地域名を前記データベース（１６）から読み出して前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）と、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と、
前記第２の表示制御手段にて表示されている店舗位置の選択操作による検索要求により、前記データベース（１６）を検索して前記クライアント端末（３）の画面に当該配布主が配布するチラシの配布枚数及び費用を表示させる第３の表示制御手段と
して機能させるためのプログラム。
【請求項１７】
請求項１３〜請求項１６のいずれかに記載のプログラムにおいて、
前記共同チラシの参加数は予め所定の件数が決められており、
前記サーバ装置（１）には、広告申込がすでに所定の申込件数に達しているか否かを管理する広告申込確認制御手段（３４）を備えており、
前記チラシ配布主が広告参加のための情報公開する方法のためにコンピュータを、
前記サーバ装置（１）が、
前記制御手段により当該配布日にチラシを配布する配布主の配布エリア（ＤＡ）を前記クライアント端末（３）の画面に表示させる際に、前記広告申込確認制御手段（３４）により広告申込がすでに所定の申込件数に達している場合には、配布エリア（ＤＡ）を着色表示させる第４の表示制御手段として機能させるためのプログラム。
【請求項１８】
請求項１３〜請求項１６のいずれかに記載のプログラムにおいて、
前記サーバ装置（１）は、前記店舗位置の選択操作がなされたときに、該選択操作された店舗の配布エリア（ＤＡ）を着色表示させる第５の表示制御手段を備えていて、
前記チラシ配布主が広告参加のための情報公開する方法のためにコンピュータを、
前記サーバ装置（１）が、
前記店舗位置の選択操作がなされたときに、該選択操作された店舗の配布エリア（ＤＡ）を着色表示させる第５の表示制御手段として機能させるためのプログラム。
【請求項１９】
チラシを印刷する印刷会社が管理するサーバ装置（１）と、共同広告を依頼する広告依頼人側のクライアント端末（３）と、このクライアント端末（３）の画面に電子地図を表示させるべく電子地図データを管理・提供する地図会社が管理する電子地図データ提供端末（５）とがインターネット（２）にて接続されており、
前記電子地図データ提供端末（５）のデータベースには、複数のチラシ配布主の店舗位置と、この各店舗位置の周囲を囲い前記チラシ配布主がチラシを配布する配布エリア（ＤＡ）とが記憶保存されており、
前記サーバ装置（１）のデータベース（１６）には、前記複数のチラシ配布主と、これらチラシ配布主による新聞の折り込みチラシとして既に配布が決定済みであって各チラシが配布される配布日と、前記チラシの配布エリア（ＤＡ）がそれぞれ存在している複数の地域名とが記憶保存されていて、
前記チラシ配布主が広告参加のための情報公開する方法のためにコンピュータを、
前記サーバ装置（１）が、
前記クライアント端末（３）からサーバ装置（１）にアクセスされた時に、前記電子地図データ提供端末（５）からの電子地図と、前記データベース（１６）から読み出した複数の地域名を前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）とを前記電子地図データ提供端末（５）のデータベースを検索して抽出すると共に、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と
して機能させるためのプログラムを記録したコンピュータ読み取り可能な記録媒体。
【請求項２０】
チラシを印刷する印刷会社が管理するサーバ装置（１）と、共同広告を依頼する広告依頼人側のクライアント端末（３）と、このクライアント端末（３）の画面に電子地図を表示させるべく電子地図データを管理・提供する地図会社が管理する電子地図データ提供端末（５）とがインターネット（２）にて接続されており、
前記電子地図データ提供端末（５）のデータベースには、複数のチラシ配布主の店舗位置と、この各店舗位置の周囲を囲い前記チラシ配布主がチラシを配布する配布エリア（ＤＡ）とが記憶保存されており、
前記サーバ装置（１）のデータベース（１６）には、前記複数のチラシ配布主と、これらチラシ配布主による新聞の折り込みチラシとして既に配布が決定済みであって各チラシが配布される配布日と、チラシの配布枚数と、チラシの配布費用と、前記チラシの配布エリア（ＤＡ）がそれぞれ存在している複数の地域名とが記憶保存されていて、
前記チラシ配布主が広告参加のための情報公開する方法のためにコンピュータを、
前記サーバ装置（１）が、
前記クライアント端末（３）からサーバ装置（１）にアクセスされた時に、前記電子地図データ提供端末（５）からの電子地図と、前記データベース（１６）から読み出した複数の地域名を前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）とを前記電子地図データ提供端末（５）のデータベースを検索して抽出すると共に、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と、
前記第２の表示制御手段にて表示されている店舗位置の選択操作による検索要求により、前記データベース（１６）を検索して前記クライアント端末（３）の画面に当該配布主が配布するチラシの配布枚数及び費用を表示させる第３の表示制御手段と
して機能させるためのプログラムを記録したコンピュータ読み取り可能な記録媒体。
【請求項２１】
チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、前記クライアント端末（３）の画面に表示させる地図データと、複数のチラシ配布主と、これら配布主の店舗位置と、これらの配布主による新聞の折り込みチラシとして既に配布が決定済みであって各チラシが配布される配布日と、前記チラシがそれぞれ配布される複数の地域名と、前記各地域名内における各配布主の店舗位置の周囲を囲ったチラシの配布エリア（ＤＡ）とが記憶保存されていて、
前記チラシ配布主が広告参加のための情報公開する方法のためにコンピュータを、
前記サーバ装置（１）が、
前記クライアント端末（３）からサーバ装置（１）にアクセスされた時に、地図データ及び複数の地域名を前記データベース（１６）から読み出して前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）と、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と
して機能させるためのプログラムを記録したコンピュータ読み取り可能な記録媒体。
【請求項２２】
チラシを印刷する印刷会社が管理するサーバ装置（１）と、共同広告を依頼する広告依頼人側のクライアント端末（３）とがインターネット（２）にて接続されており、
前記サーバ装置（１）のデータベース（１６）には、前記クライアント端末（３）の画面に表示させる地図データと、複数のチラシ配布主と、これら配布主の店舗位置と、これらの配布主による新聞の折り込みチラシとして既に配布が決定済みであって各チラシが配布される配布日と、チラシの配布枚数と、チラシの配布費用と、前記チラシがそれぞれ配布される複数の地域名と、前記各地域名内における各配布主の店舗位置の周囲を囲ったチラシの配布エリア（ＤＡ）とが記憶保存されていて、
前記チラシ配布主が広告参加のための情報公開する方法のためにコンピュータを、
前記サーバ装置（１）が、
前記クライアント端末（３）からサーバ装置（１）にアクセスされた時に、地図データ及び複数の地域名を前記データベース（１６）から読み出して前記クライアント端末（３）の画面に表示させる第１の表示制御手段と、
前記第１の表示制御手段にて表示されている地域名の中から前記クライアント端末（３）から選択ないし入力された地域名による該クライアント端末（３）からの検索要求により、該地域名内での配布主の店舗位置と、前記チラシの配布エリア（ＤＡ）と、該当する配布主が配布するチラシの配布日を前記データベース（１６）を検索して抽出する検索手段と、
前記検索手段の検索・抽出結果により、地域名内での配布主の店舗位置及び前記チラシの配布エリア（ＤＡ）を、前記第１の表示制御手段にてクライアント端末（３）の画面に表示されている地図上に重ね合わせて表示させると共に、該当するチラシの配布日のすべてを一覧表示させる第２の表示制御手段と、
前記第２の表示制御手段により前記クライアント端末（３）の画面に表示されている配布日から任意の配布日の検索要求により当該配布日にチラシを配布する配布主の配布エリア（ＤＡ）の表示を該クライアント端末（３）の画面に維持させると共に、当該配布日にチラシを配布しない配布主の配布エリア（ＤＡ）の表示を該クライアント端末（３）の画面から消去させる制御手段と、
前記第２の表示制御手段にて表示されている店舗位置の選択操作による検索要求により、前記データベース（１６）を検索して前記クライアント端末（３）の画面に当該配布主が配布するチラシの配布枚数及び費用を表示させる第３の表示制御手段と
して機能させるためのプログラムを記録したコンピュータ読み取り可能な記録媒体。
【請求項２３】
請求項１９〜請求項２２のいずれかに記載のプログラムを記録したコンピュータ読み取り可能な記録媒体において、
前記共同チラシの参加数は予め所定の件数が決められており、
前記サーバ装置（１）には、広告申込がすでに所定の申込件数に達しているか否かを管理する広告申込確認制御手段（３４）を備えており、
前記チラシ配布主が広告参加のための情報公開する方法のためにコンピュータを、
前記サーバ装置（１）が、
前記制御手段により当該配布日にチラシを配布する配布主の配布エリア（ＤＡ）を前記クライアント端末（３）の画面に表示させる際に、前記広告申込確認制御手段（３４）により広告申込がすでに所定の申込件数に達している場合には、配布エリア（ＤＡ）を着色表示させる第４の表示制御手段として機能させるためのプログラムを記録したコンピュータ読み取り可能な記録媒体。
【請求項２４】
請求項１９〜請求項２２のいずれかに記載のプログラムを記録したコンピュータ読み取り可能な記録媒体において、
前記サーバ装置（１）は、前記店舗位置の選択操作がなされたときに、該選択操作された店舗の配布エリア（ＤＡ）を着色表示させる第５の表示制御手段を備えていて、
前記チラシ配布主が広告参加のための情報公開する方法のためにコンピュータを、
前記サーバ装置（１）が、
前記店舗位置の選択操作がなされたときに、該選択操作された店舗の配布エリア（ＤＡ）を着色表示させる第５の表示制御手段として機能させるためのプログラムを記録したコンピュータ読み取り可能な記録媒体。
【発明の詳細な説明】
【技術分野】
【０００１】
本発明は、新聞の折り込みチラシを利用した共同チラシの参加のための情報公開システム、共同チラシの参加のための情報公開方法、プログラム及び記録媒体に関するものである。
【背景技術】
【０００２】
従来より広告のコストを安価にするために、複数の企業等が共同して印刷物を製作、配布するのが知られている。この従来からの共同印刷物の製作において、例えば、求人チラシ、不動産チラシ、商店街の共同（合同）チラシなどを製作する場合には、製作会社の担当者と複数の依頼人が会合を開いて、予算、それぞれの掲載位置、配布範囲（配布地域）、配布日、配布枚数などをそれぞれの依頼人が納得し、決定するまでに相当の期間、時間をかけていた。
【０００３】
食品などのスーパーマーケット（以下、スーパーという。）においても同様であり、店舗内にテナントが入っている場合が多く、意見の取りまとめや、販売戦略立案時にも大きな抵抗があって、チラシ製作を何度もやり直すことも多い。
【０００４】
そのため、その制作費は大変高額となったり、個々の商人にとっては必要な地域に配布されなかったり、逆に不必要な地域に配布されたりという状況が現に発生しており、共同チラシの印刷製作の難しさがあり、大変不便でもある。
また、一方で同地域での個人商店や小規模製造業者などは、販売広告費が事業規模に見合ったものにならず、チラシの販売チャンスすら無く、良い技術や商品を持ちながら廃業に追い込まれたりしているのが現状である。
【０００５】
一方、インターネットを利用して、同一紙面上に複数の依頼者の広告内容を掲載して配布する共同チラシ広告を作成する共同チラシの広告作成システムとして、例えば、下記に示す特許文献１が挙げられる。
【０００６】
【特許文献１】特開２００２−４２１４４号公報
【０００７】
上記特許文献１は、複数依頼者の広告を同時掲載する共同チラシを作成して広告しようとする場合には、依頼者毎に予算、部数、チラシを配布したい地域や配布希望日等の作成条件が様々であるため、簡単に広告を出すことができないということから成されたものである。
かかる点から、チラシ広告の作成条件が類似する依頼者を効率良くまとめ、共同チラシによる広告を出すようにしたものである。
【０００８】
すなわち、この特許文献１では、依頼者のユーザー端末から、共同チラシの配布地域、配布希望日、部数、紙面上の広告サイズ、紙面上の配置位置等のチラシ作成条件をインターネットを介してシステム側に送信し、システム側では同一紙面の共同チラシ広告として配布できる作成条件が類似している依頼者をまとめることで共同チラシを作成するようにしている。
【０００９】
しかしながら、この特許文献１では、広告日やチラシの配布地域等の所定の条件に合う広告依頼があった場合には、チラシの作成に至るものであり、予め広告日や配布地域が分からず、共同広告を依頼しにくいという問題を有している。
特に、チラシの同一配布日、同じ配布地域において一定数以上の依頼者が広告企画への参加をすることは、現実的に非常に希有であり、最初に折角申し込んでも、結局は企画の参加をキャンセルせざるを得なくなるのが現実である。また、チラシの配布部数も依頼者によりまちまちであり、この点からも特許文献１での共同チラシによる参加はしにくいという問題を有している。
【００１０】
また、所定の広告掲載媒体に対して広告の掲載を希望する広告主を募集すべく、該広告掲載媒体の情報を含む広告の募集に関する情報をインターネットで公開し、該広告の募集に関する情報を閲覧可能として、広告主からの申込みを受けられるようにしたものとして、例えば、下記の特許文献２〜５が挙げられる
【００１１】
【特許文献２】特開２００５−２３４６１９号公報
【特許文献３】特開２００２−３２９１１７号公報
【特許文献４】特開２００２−１８３５０５号公報
【特許文献５】特開２００６−２９３６１０号公報
【００１２】
上記特許文献２は、特定のイベントの参加者に対して、効率的に宣伝・広告を行なうことを目的としているものであり、つまり、特定のイベントであり、そのイベントに興味を持っている参加者に応じた広告を選択できる、としているものである（「０００８」参照）。
この特許文献２では、点としてのチラシの配布場所（イベント会場）は認識できるものの、面としての配布エリア（地域）を表示させる（知らしめる、あるいは提供する）ということができないという問題を有している。
【００１３】
また、特許文献３は、広告代理店と、メディアと、クライアントとの関係における広告枠が埋まっているか否かの確認を行なうようにしたものであります。したがって、広告を行なう場合に、雑誌、テレビ、ラジオ、携帯メール等のどの広告メディアにするかとか、広告日が既に決定されている、いずれの先の広告日を選択するかということは、このメディアの広告業界においては当然のことが記載されているにすぎないものである。
【００１４】
特許文献４は、「００３２」〜「００３６」で広告の提供時刻、場所を変えて行なうようにしたのが記載されているが、この特許文献４は、所謂携帯広告メールに関するものであり、広告の提供を受ける者（携帯電話）が、予め広告の提供を希望して、広告の配信サーバ側に登録しておくというシステムとなっており、そのため、かかる広告の配信を希望した者の携帯電話にのみ配信されるという構成である。
したがって、広告の配信場所を予め登録しておいても、広告の配信を希望せずに配信サーバに登録されていない者の携帯電話には広告が配信されないものであり、ある範囲の地域に広告を配信しても、広告を受信する携帯電話は少なく、広告効果を有効に発揮することは難しいという問題を有している。しかも、携帯電話のＮＴＴなどの特定のサービス業者に加入している者にのみ広告メールが配信されるものであり、他のサービス業者に加入している場合には、広告メールは配信されず、本願発明のチラシのように無差別的に広告メールを配信できないという問題を有している。
【００１５】
特許文献５では、広告主がサーバ装置の広告主データベースに、広告主ＩＤ、エリア等の希望条件、登録現場とを対応付けて予め登録し（「００６４」、「００６５」参照）、また、建設主もサーバ装置に、現場の所在地データ、広告の大きさデータ、広告期間である工期データ等を登録するものである（「００７４」参照）。
そして、サーバ装置では、建設主の登録内容と広告主の内容とを照らし合わせ、該登録内容が広告主の希望条件を一定のレベルまで満たす広告主がいれば、これを抽出するマッチング処理を行ない（「００７８」参照）、建設主の内容と広告主の希望条件とがマッチングした場合には、サーバ装置が広告主にメールを送信し、広告主がサーバ装置にアクセスして広告の現場の情報（画像、料金、工期など）を確認するという技術思想である。
【００１６】
この特許文献５では、建設主、広告主の双方が予めサーバ装置に内容を登録しておき、建設主と広告主の条件がある程度満たした場合にサーバ装置がマッチング処理を行なって初めて連絡を受けた広告主側がサーバ装置にアクセスして、広告の現場を確認できるというシステムないし方法であり、特に、特許文献２の場合と同様に、点としてのチラシの配布場所は認識できるが、面としての配布している配布エリア（地域）を表示させる（知らしめる、あるいは提供する）とことが出来ないという問題を有している。
【００１７】
ところで、広告チラシの広告業者でない広告主が別の広告主を募集し、募集内容として、配布地域や配布枚数、配布時期等を提示したものとして、下記の特許文献６がある。
【００１８】
【特許文献６】特開２００２−３０４１４１号公報
【００１９】
しかしながら、この特許文献６では、チラシ自体に広告主の広告の余白部分に、次回の配布地域、配布枚数、配布時期等を記載するものであり、次回のチラシの配布地域等を知らせるということに関しては、軌を一にするものの、このチラシへの広告募集に関しては、当該チラシが配布された地域の者にしか認識させることができず、また、チラシを紛失した場合などでは、その情報を取得することができないという問題を有している。
【００２０】
本発明では、後述するように、当該チラシの配布地域に関係なく、インターネット接続環境にある者であれば、チラシの配布地域に関係なく、チラシに関する情報を取得することができるものであり、特許文献６に記載の技術とは具体的に異なるものである。
【００２１】
また、共同広告を行なう場合において、端末からインターネットを介してサーバ装置にアクセスして、チラシの配布日、配布地域、配布枚数等の情報の閲覧ができるものとして、例えば、下記に示す特許文献７がある。
また、ユーザのパソコンの画面に、折り込み広告の配布エリア図を重ね表示するものとして、例えば、下記に示す特許文献８がある。
【００２２】
【特許文献７】特開２００２−９９７９４号公報
【特許文献８】特開２００２−２０３０２６号公報
【００２３】
上記特許文献７では、共同広告の配布日、配布地域、配布枚数等のユーザ端末からシステム（サーバ装置）にアクセスすることで可能ではあるものの、特に、共同広告の配布地域がユーザ端末の画面において地図上で配布エリアが面的に一見した認識できないという問題を有している。
【００２４】
また、上記特許文献８では、ユーザの端末に表示されるのは、各新聞販売店の折り込み広告の配布エリア図が表示されるものであり、本発明のように、新聞販売店の折り込み広告の配布エリア図ではなく、あるチラシ配布主（スーパー）が配布する配布エリアではない。すなわち、本発明では後述するように、スーパーがチラシを配布するエリアは、複数の新聞販売店を束ねたエリアであり、１店の新聞販売店の配布エリアではない。
【００２５】
つまり、特許文献８に記載されている技術思想は、自己が新聞の折り込みチラシを配布してもらう場合の思想であり、あるスーパーが配布しているチラシに対して共同広告を依頼するという技術思想ではない。
【発明の開示】
【発明が解決しようとする課題】
【００２６】
本発明は上述の問題点に鑑みて提供したものであって、少なくとも以下に示す目的を持った共同チラシの参加のための情報公開システム、共同チラシの参加のための情報公開方法、プログラム及び記録媒体を提供するものである。
（１）１店の新聞販売店のチラシの配布エリアではなく、複数の新聞販売店のチラシの配布エリアを統合した配布エリアを情報として公開して、共同広告に参加したいという気持ちを広告依頼人に高めさせること。
（２）すでにチラシの配布日が決定済みのチラシの配布エリアを公開することで、チラシの配布エリアを面として表示させ、一見して配布エリアが認識できるようにすること。
（３）新聞に折り込まれていて、あるチラシ配布主が配布するチラシを利用して、特定の配布エリアにて無差別的に配布が可能なことを公開して、共同広告に参加をしたいという気持ちを広告依頼人に高めさせること。
（４）チラシの配布主の店舗位置を公開することで、共同広告の参加をし易くすること。
（５）チラシの配布日を希望した場合に、希望する配布エリアでチラシの配布が可能か否かが直ぐに分かるようにすること。
（６）チラシの配布枚数、費用を明らかにして共同チラシに参加する場合の透明性を高めること。
【課題を解決するための手段】
【００２７】
そこで、本発明の請求項１に記載の共同チラシの参加のための情報公開システムでは、チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開システムであって、
前記チラシを印刷する印刷会社が管理するサーバ装置１と、共同広告を依頼する広告依頼人側のクライアント端末３と、このクライアント端末３の画面に電子地図を表示させるべく電子地図データを管理・提供する地図会社が管理する電子地図データ提供端末５とがインターネット２にて接続されており、
前記電子地図データ提供端末５のデータベースには、複数のチラシ配布主の店舗位置と、この各店舗位置の周囲を囲い前記チラシ配布主がチラシを配布する配布エリアＤＡとが記憶保存されており、
前記サーバ装置１は、
前記複数のチラシ配布主と、これらチラシ配布主による新聞の折り込みチラシとして既に配布が決定済みであって各チラシが配布される配布日と、前記チラシの配布エリアＤＡがそれぞれ存在している複数の地域名とが記憶保存されるデータベース１６と、
前記クライアント端末３からサーバ装置１にアクセスされた時に、前記電子地図データ提供端末５からの電子地図と、前記データベース１６から読み出した複数の地域名を前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡとを前記電子地図データ提供端末５のデータベースを検索して抽出すると共に、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と
を備えていることを特徴としている。
【００２８】
請求項２に記載の共同チラシの参加のための情報公開システムでは、チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開システムであって、
前記チラシを印刷する印刷会社が管理するサーバ装置１と、共同広告を依頼する広告依頼人側のクライアント端末３と、このクライアント端末３の画面に電子地図を表示させるべく電子地図データを管理・提供する地図会社が管理する電子地図データ提供端末５とがインターネット２にて接続されており、
前記電子地図データ提供端末５のデータベースには、複数のチラシ配布主の店舗位置と、この各店舗位置の周囲を囲い前記チラシ配布主がチラシを配布する配布エリアＤＡとが記憶保存されており、
前記サーバ装置１は、
前記複数のチラシ配布主と、これらチラシ配布主による新聞の折り込みチラシとして既に配布が決定済みであって各チラシが配布される配布日と、チラシの配布枚数と、チラシの配布費用と、前記チラシの配布エリアＤＡがそれぞれ存在している複数の地域名とが記憶保存されるデータベース１６と、
前記クライアント端末３からサーバ装置１にアクセスされた時に、前記電子地図データ提供端末５からの電子地図と、前記データベース１６から読み出した複数の地域名を前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡとを前記電子地図データ提供端末５のデータベースを検索して抽出すると共に、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と、
前記第２の表示制御手段にて表示されている店舗位置の選択操作による検索要求により、前記データベース１６を検索して前記クライアント端末３の画面に当該配布主が配布するチラシの配布枚数及び費用を表示させる第３の表示制御手段と
を備えていることを特徴としている。
【００２９】
請求項３に記載の共同チラシの参加のための情報公開システムでは、チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開システムであって、
前記チラシを印刷する印刷会社が管理するサーバ装置１と、共同広告を依頼する広告依頼人側のクライアント端末３とがインターネット２にて接続されており、
前記サーバ装置１は、
前記クライアント端末３の画面に表示させる地図データと、複数のチラシ配布主と、これら配布主の店舗位置と、これらの配布主による新聞の折り込みチラシとして既に配布が決定済みであって各チラシが配布される配布日と、前記チラシがそれぞれ配布される複数の地域名と、前記各地域名内における各配布主の店舗位置の周囲を囲ったチラシの配布エリアＤＡとが記憶保存されるデータベース１６と、
前記クライアント端末３からサーバ装置１にアクセスされた時に、地図データ及び複数の地域名を前記データベース１６から読み出して前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡと、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と
を備えていることを特徴としている。
【００３０】
請求項４に記載の共同チラシの参加のための情報公開システムでは、チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開システムであって、
前記チラシを印刷する印刷会社が管理するサーバ装置１と、共同広告を依頼する広告依頼人側のクライアント端末３とがインターネット２にて接続されており、
前記サーバ装置１は、
前記クライアント端末３の画面に表示させる地図データと、複数のチラシ配布主と、これら配布主の店舗位置と、これらの配布主による新聞の折り込みチラシとして既に配布が決定済みであって各チラシが配布される配布日と、チラシの配布枚数と、チラシの配布費用と、前記チラシがそれぞれ配布される複数の地域名と、前記各地域名内における各配布主の店舗位置の周囲を囲ったチラシの配布エリアＤＡとが記憶保存されるデータベース１６と、
前記クライアント端末３からサーバ装置１にアクセスされた時に、地図データ及び複数の地域名を前記データベース１６から読み出して前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡと、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と、
前記第２の表示制御手段にて表示されている店舗位置の選択操作による検索要求により、前記データベース１６を検索して前記クライアント端末３の画面に当該配布主が配布するチラシの配布枚数及び費用を表示させる第３の表示制御手段と
を備えていることを特徴としている。
【００３１】
請求項５に記載の共同チラシの参加のための情報公開システムでは、請求項１〜請求項４のいずれかに記載の共同チラシの参加のための情報公開システムにおいて、
前記共同チラシの参加数は予め所定の件数が決められており、
前記サーバ装置１には、広告申込がすでに所定の申込件数に達しているか否かを管理する広告申込確認制御手段３４を備えており、
前記制御手段により当該配布日にチラシを配布する配布主の配布エリアＤＡを前記クライアント端末３の画面に表示させる際に、前記広告申込確認制御手段３４により広告申込がすでに所定の申込件数に達している場合には、配布エリアＤＡを着色表示させる第４の表示制御手段を備えていることを特徴としている。
【００３２】
請求項６に記載の共同チラシの参加のための情報公開システムでは、請求項１〜請求項４のいずれかに記載の共同チラシの参加のための情報公開システムにおいて、
前記サーバ装置１には、前記店舗位置の選択操作がなされたときに、該選択操作された店舗の配布エリアＤＡを着色表示させる第５の表示制御手段を備えていることを特徴としている。
【００３３】
請求項７に記載の共同チラシの参加のための情報公開方法では、チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開方法であって、
前記チラシを印刷する印刷会社が管理するサーバ装置１と、共同広告を依頼する広告依頼人側のクライアント端末３と、このクライアント端末３の画面に電子地図を表示させるべく電子地図データを管理・提供する地図会社が管理する電子地図データ提供端末５とがインターネット２にて接続されており、
前記電子地図データ提供端末５のデータベースには、複数のチラシ配布主の店舗位置と、この各店舗位置の周囲を囲い前記チラシ配布主がチラシを配布する配布エリアＤＡとが記憶保存されており、
前記サーバ装置１は、
前記複数のチラシ配布主と、これらチラシ配布主による新聞の折り込みチラシとして既に配布が決定済みであって各チラシが配布される配布日と、前記チラシの配布エリアＤＡがそれぞれ存在している複数の地域名とが記憶保存されるデータベース１６と、
前記クライアント端末３からサーバ装置１にアクセスされた時に、前記電子地図データ提供端末５からの電子地図と、前記データベース１６から読み出した複数の地域名を前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡとを前記電子地図データ提供端末５のデータベースを検索して抽出すると共に、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と
を備え、
前記サーバ装置１が、
前記クライアント端末３からサーバ装置１にアクセスされた時に、前記第１の表示制御手段により、前記電子地図データ提供端末５からの電子地図と、前記データベース１６から読み出した複数の地域名を前記クライアント端末３の画面に表示させる第１の表示制御ステップと、
前記第１の表示制御ステップにて表示されている地域名の中から前記クライアント端末３から選択ないし入力された地域名による該クライアント端末３からの検索要求により、前記検索手段でもって該地域名内での配布主の店舗位置と、前記チラシの配布エリアＤＡとを前記電子地図データ提供端末５のデータベースを検索して抽出すると共に、該当する配布主が配布するチラシの配布日を前記データベース１６を検索して抽出する検索ステップと、
前記検索ステップの検索・抽出結果の表示要求により、前記第２の表示制御手段でもって地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御ステップと、
前記第２の表示制御ステップにより前記クライアント端末３の画面に表示されている配布日から任意の配布日の検索要求により前記制御手段でもって、当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御ステップと
を実行することを特徴としている。
【００３４】
請求項８に記載の共同チラシの参加のための情報公開方法では、チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開方法であって、
前記チラシを印刷する印刷会社が管理するサーバ装置１と、共同広告を依頼する広告依頼人側のクライアント端末３と、このクライアント端末３の画面に電子地図を表示させるべく電子地図データを管理・提供する地図会社が管理する電子地図データ提供端末５とがインターネット２にて接続されており、
前記電子地図データ提供端末５のデータベースには、複数のチラシ配布主の店舗位置と、この各店舗位置の周囲を囲い前記チラシ配布主がチラシを配布する配布エリアＤＡとが記憶保存されており、
前記サーバ装置１は、
前記複数のチラシ配布主と、これらチラシ配布主による新聞の折り込みチラシとして既に配布が決定済みであって各チラシが配布される配布日と、チラシの配布枚数と、チラシの配布費用と、前記チラシの配布エリアＤＡがそれぞれ存在している複数の地域名とが記憶保存されるデータベース１６と、
前記クライアント端末３からサーバ装置１にアクセスされた時に、前記電子地図データ提供端末５からの電子地図と、前記データベース１６から読み出した複数の地域名を前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡとを前記電子地図データ提供端末５のデータベースを検索して抽出すると共に、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と、
前記第２の表示制御手段にて表示されている店舗位置の選択操作による検索要求により、前記データベース１６を検索して前記クライアント端末３の画面に当該配布主が配布するチラシの配布枚数及び費用を表示させる第３の表示制御手段と
を備え、
前記サーバ装置１が、
前記クライアント端末３からサーバ装置１にアクセスされた時に、前記第１の表示制御手段により、前記電子地図データ提供端末５からの電子地図と、前記データベース１６から読み出した複数の地域名を前記クライアント端末３の画面に表示させる第１の表示制御ステップと、
前記第１の表示制御ステップにて表示されている地域名の中から前記クライアント端末３から選択ないし入力された地域名による該クライアント端末３からの検索要求により、前記検索手段でもって該地域名内での配布主の店舗位置と、前記チラシの配布エリアＤＡとを前記電子地図データ提供端末５のデータベースを検索して抽出すると共に、該当する配布主が配布するチラシの配布日を前記データベース１６を検索して抽出する検索ステップと、
前記検索ステップの検索・抽出結果の表示要求により、前記第２の表示制御手段でもって地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御ステップと、
前記第２の表示制御ステップにより前記クライアント端末３の画面に表示されている配布日から任意の配布日の検索要求により前記制御手段でもって、当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御ステップと、
前記第２の表示制御ステップにて表示されている店舗位置の選択操作による検索要求により、前記第３の表示制御手段でもって前記データベース１６を検索して前記クライアント端末３の画面に当該配布主が配布するチラシの配布枚数及び費用を表示させる第３の表示制御ステップと
を実行することを特徴としている。
【００３５】
請求項９に記載の共同チラシの参加のための情報公開方法では、チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開方法であって、
前記チラシを印刷する印刷会社が管理するサーバ装置１と、共同広告を依頼する広告依頼人側のクライアント端末３とがインターネット２にて接続されており、
前記サーバ装置１は、
前記クライアント端末３の画面に表示させる地図データと、複数のチラシ配布主と、これら配布主の店舗位置と、これらの配布主による新聞の折り込みチラシとして既に配布が決定済みであって各チラシが配布される配布日と、前記チラシがそれぞれ配布される複数の地域名と、前記各地域名内における各配布主の店舗位置の周囲を囲ったチラシの配布エリアＤＡとが記憶保存されるデータベース１６と、
前記クライアント端末３からサーバ装置１にアクセスされた時に、地図データ及び複数の地域名を前記データベース１６から読み出して前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡと、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と
を備え、
前記サーバ装置１が、
前記クライアント端末３からサーバ装置１にアクセスされた時に、前記第１の表示制御手段により、地図データ及び複数の地域名を前記データベース１６から読み出して前記クライアント端末３の画面に表示させる第１の表示制御ステップと、
前記第１の表示制御ステップにて表示されている地域名の中から前記クライアント端末３から選択ないし入力された地域名による該クライアント端末３からの検索要求により、前記検索手段でもって該地域名内での配布主の店舗位置と、前記チラシの配布エリアＤＡと、該当する配布主が配布するチラシの配布日を前記データベース１６を検索して抽出する検索ステップと、
前記検索ステップの検索・抽出結果の表示要求により、前記第２の表示制御手段でもって地域名内での配布主の店舗位置及び前記チラシの配布エリアＤＡを、前記第１の表示制御ステップにてクライアント端末３の画面に表示されている地図上に重ね合わせて表示させると共に、該当するチラシの配布日のすべてを一覧表示させる第２の表示制御ステップと、
前記第２の表示制御ステップにより前記クライアント端末３の画面に表示されている配布日から任意の配布日の検索要求により前記制御手段でもって、当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御ステップと
を実行することを特徴としている。
【００３６】
請求項１０に記載の共同チラシの参加のための情報公開方法では、チラシの配布主が配布する該チラシの広告部分以外に設けたスペースに該チラシ配布主以外の広告依頼人が該チラシ配布主と共同して広告を行なう場合に、前記広告依頼人に参加を促すための共同チラシの参加のための情報公開方法であって、
前記チラシを印刷する印刷会社が管理するサーバ装置１と、共同広告を依頼する広告依頼人側のクライアント端末３とがインターネット２にて接続されており、
前記サーバ装置１は、
前記クライアント端末３の画面に表示させる地図データと、複数のチラシ配布主と、これら配布主の店舗位置と、これらの配布主による新聞の折り込みチラシとして既に配布が決定済みであって各チラシが配布される配布日と、チラシの配布枚数と、チラシの配布費用と、前記チラシがそれぞれ配布される複数の地域名と、前記各地域名における各配布主の店舗位置の周囲を囲ったチラシの配布エリアＤＡとが記憶保存されるデータベース１６と、
前記クライアント端末３からサーバ装置１にアクセスされた時に、地図データ及び複数の地域名を前記データベース１６から読み出して前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡと、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と、
前記第２の表示制御手段にて表示されている店舗位置の選択操作による検索要求により、前記データベース１６を検索して前記クライアント端末３の画面に当該配布主が配布するチラシの配布枚数及び費用を表示させる第３の表示制御手段と
を備え、
前記サーバ装置１が、
前記クライアント端末３からサーバ装置１にアクセスされた時に、前記第１の表示制御手段により、地図データ及び複数の地域名を前記データベース１６から読み出して前記クライアント端末３の画面に表示させる第１の表示制御ステップと、
前記第１の表示制御ステップにて表示されている地域名の中から前記クライアント端末３から選択ないし入力された地域名による該クライアント端末３からの検索要求により、前記検索手段でもって該地域名内での配布主の店舗位置と、前記チラシの配布エリアＤＡと、該当する配布主が配布するチラシの配布日を前記データベース１６を検索して抽出する検索ステップと、
前記検索ステップの検索・抽出結果の表示要求により、前記第２の表示制御手段でもって地域名内での配布主の店舗位置及び前記チラシの配布エリアＤＡを、前記第１の表示制御ステップにてクライアント端末３の画面に表示されている地図上に重ね合わせて表示させると共に、該当するチラシの配布日のすべてを一覧表示させる第２の表示制御ステップと、
前記第２の表示制御ステップにより前記クライアント端末３の画面に表示されている配布日から任意の配布日の検索要求により前記検索手段でもって、当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御ステップと、
前記第２の表示制御ステップにて表示されている店舗位置の選択操作による検索要求により、前記第３の表示制御手段でもって前記データベース１６を検索して前記クライアント端末３の画面に当該配布主が配布するチラシの配布枚数及び費用を表示させる第３の表示制御ステップと
を実行することを特徴としている。
【００３７】
請求項１１に記載の共同チラシの参加のための情報公開方法では、請求項７〜請求項１０のいずれかに記載の共同チラシの参加のための情報公開方法において、
前記共同チラシの参加数は予め所定の件数が決められており、
前記サーバ装置１には、広告申込がすでに所定の申込件数に達しているか否かを管理する広告申込確認制御手段３４を備えており、
前記サーバ装置１は、
前記制御手段により当該配布日にチラシを配布する配布主の配布エリアＤＡを前記クライアント端末３の画面に表示させる際に、前記広告申込確認制御手段３４により広告申込がすでに所定の申込件数に達している場合には、配布エリアＤＡを着色表示させる第４の表示制御手段を備え、
前記サーバ装置１が、
前記制御ステップにより当該配布日にチラシを配布する配布主の配布エリアＤＡを前記クライアント端末３の画面に表示させる際に、前記広告申込確認制御手段３４により広告申込がすでに所定の申込件数に達している場合には、配布エリアＤＡを着色表示させる第４の表示制御ステップを
実行することを特徴としている。
【００３８】
請求項１２に記載の共同チラシの参加のための情報公開方法では、請求項７〜請求項１０のいずれかに記載の共同チラシの参加のための情報公開方法において、
前記サーバ装置１は、
前記店舗位置の選択操作がなされたときに、該選択操作された店舗の配布エリアＤＡを着色表示させる第５の表示制御手段を備え、
前記サーバ装置１が、
前記店舗位置の選択操作がなされたときに、前記第５の表示制御手段により該選択操作された店舗の配布エリアＤＡを着色表示させる第５の表示制御ステップを
実行することを特徴としている。
【００３９】
請求項１３に記載の共同チラシの参加のための情報公開方法のためのプログラムでは、チラシを印刷する印刷会社が管理するサーバ装置１と、共同広告を依頼する広告依頼人側のクライアント端末３と、このクライアント端末３の画面に電子地図を表示させるべく電子地図データを管理・提供する地図会社が管理する電子地図データ提供端末５とがインターネット２にて接続されており、
前記電子地図データ提供端末５のデータベースには、複数のチラシ配布主の店舗位置と、この各店舗位置の周囲を囲い前記チラシ配布主がチラシを配布する配布エリアＤＡとが記憶保存されており、
前記サーバ装置１のデータベース１６には、前記複数のチラシ配布主と、これらチラシ配布主による新聞の折り込みチラシとして既に配布が決定済みであって各チラシが配布される配布日と、前記チラシの配布エリアＤＡがそれぞれ存在している複数の地域名とが記憶保存されていて、
前記チラシ配布主が広告参加のための情報公開する方法のためにコンピュータを、
前記サーバ装置１が、
前記クライアント端末３からサーバ装置１にアクセスされた時に、前記電子地図データ提供端末５からの電子地図と、前記データベース１６から読み出した複数の地域名を前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡとを前記電子地図データ提供端末５のデータベースを検索して抽出すると共に、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と
して機能させることを特徴としている。
【００４０】
請求項１４に記載の共同チラシの参加のための情報公開方法のためのプログラムでは、チラシを印刷する印刷会社が管理するサーバ装置１と、共同広告を依頼する広告依頼人側のクライアント端末３と、このクライアント端末３の画面に電子地図を表示させるべく電子地図データを管理・提供する地図会社が管理する電子地図データ提供端末５とがインターネット２にて接続されており、
前記電子地図データ提供端末５のデータベースには、複数のチラシ配布主の店舗位置と、この各店舗位置の周囲を囲い前記チラシ配布主がチラシを配布する配布エリアＤＡとが記憶保存されており、
前記サーバ装置１のデータベース１６には、前記複数のチラシ配布主と、これらチラシ配布主による新聞の折り込みチラシとして既に配布が決定済みであって各チラシが配布される配布日と、チラシの配布枚数と、チラシの配布費用と、前記チラシの配布エリアＤＡがそれぞれ存在している複数の地域名とが記憶保存されていて、
前記チラシ配布主が広告参加のための情報公開する方法のためにコンピュータを、
前記サーバ装置１が、
前記クライアント端末３からサーバ装置１にアクセスされた時に、前記電子地図データ提供端末５からの電子地図と、前記データベース１６から読み出した複数の地域名を前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡとを前記電子地図データ提供端末５のデータベースを検索して抽出すると共に、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と、
前記第２の表示制御手段にて表示されている店舗位置の選択操作による検索要求により、前記データベース１６を検索して前記クライアント端末３の画面に当該配布主が配布するチラシの配布枚数及び費用を表示させる第３の表示制御手段と
して機能させることを特徴としている。
【００４１】
請求項１５に記載の共同チラシの参加のための情報公開方法のためのプログラムでは、チラシを印刷する印刷会社が管理するサーバ装置１と、共同広告を依頼する広告依頼人側のクライアント端末３とがインターネット２にて接続されており、
前記サーバ装置１のデータベース１６には、前記クライアント端末３の画面に表示させる地図データと、複数のチラシ配布主と、これら配布主の店舗位置と、これらの配布主による新聞の折り込みチラシとして既に配布が決定済みであって各チラシが配布される配布日と、前記チラシがそれぞれ配布される複数の地域名と、前記各地域名内における各配布主の店舗位置の周囲を囲ったチラシの配布エリアＤＡとが記憶保存されていて、
前記チラシ配布主が広告参加のための情報公開する方法のためにコンピュータを、
前記サーバ装置１が、
前記クライアント端末３からサーバ装置１にアクセスされた時に、地図データ及び複数の地域名を前記データベース１６から読み出して前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡと、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と
して機能させることを特徴としている。
【００４２】
請求項１６に記載の共同チラシの参加のための情報公開方法のためのプログラムでは、チラシを印刷する印刷会社が管理するサーバ装置１と、共同広告を依頼する広告依頼人側のクライアント端末３とがインターネット２にて接続されており、
前記サーバ装置１のデータベース１６には、前記クライアント端末３の画面に表示させる地図データと、複数のチラシ配布主と、これら配布主の店舗位置と、これらの配布主による新聞の折り込みチラシとして既に配布が決定済みであって各チラシが配布される配布日と、チラシの配布枚数と、チラシの配布費用と、前記チラシがそれぞれ配布される複数の地域名と、前記各地域名内における各配布主の店舗位置の周囲を囲ったチラシの配布エリアＤＡとが記憶保存されていて、
前記チラシ配布主が広告参加のための情報公開する方法のためにコンピュータを、
前記サーバ装置１が、
前記クライアント端末３からサーバ装置１にアクセスされた時に、地図データ及び複数の地域名を前記データベース１６から読み出して前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡと、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と、
前記第２の表示制御手段にて表示されている店舗位置の選択操作による検索要求により、前記データベース１６を検索して前記クライアント端末３の画面に当該配布主が配布するチラシの配布枚数及び費用を表示させる第３の表示制御手段と
して機能させることを特徴としている。
【００４３】
請求項１７に記載の共同チラシの参加のための情報公開方法のためのプログラムでは、請求項１３〜請求項１６のいずれかに記載のプログラムにおいて、
前記共同チラシの参加数は予め所定の件数が決められており、
前記サーバ装置１には、広告申込がすでに所定の申込件数に達しているか否かを管理する広告申込確認制御手段３４を備えており、
前記チラシ配布主が広告参加のための情報公開する方法のためにコンピュータを、
前記サーバ装置１が、
前記制御手段により当該配布日にチラシを配布する配布主の配布エリアＤＡを前記クライアント端末３の画面に表示させる際に、前記広告申込確認制御手段３４により広告申込がすでに所定の申込件数に達している場合には、配布エリアＤＡを着色表示させる第４の表示制御手段として機能させることを特徴としている。
【００４４】
請求項１８に記載のプログラムでは、請求項１３〜請求項１６のいずれかに記載のプログラムにおいて、
前記サーバ装置１は、前記店舗位置の選択操作がなされたときに、該選択操作された店舗の配布エリアＤＡを着色表示させる第５の表示制御手段を備えていて、
前記チラシ配布主が広告参加のための情報公開する方法のためにコンピュータを、
前記サーバ装置１が、
前記店舗位置の選択操作がなされたときに、該選択操作された店舗の配布エリアＤＡを着色表示させる第５の表示制御手段として機能させることを特徴としている。
【００４５】
請求項１９に記載のプログラムを記録したコンピュータ読み取り可能な記録媒体では、チラシを印刷する印刷会社が管理するサーバ装置１と、共同広告を依頼する広告依頼人側のクライアント端末３と、このクライアント端末３の画面に電子地図を表示させるべく電子地図データを管理・提供する地図会社が管理する電子地図データ提供端末５とがインターネット２にて接続されており、
前記電子地図データ提供端末５のデータベースには、複数のチラシ配布主の店舗位置と、この各店舗位置の周囲を囲い前記チラシ配布主がチラシを配布する配布エリアＤＡとが記憶保存されており、
前記サーバ装置１のデータベース１６には、前記複数のチラシ配布主と、これらチラシ配布主による新聞の折り込みチラシとして既に配布が決定済みであって各チラシが配布される配布日と、前記チラシの配布エリアＤＡがそれぞれ存在している複数の地域名とが記憶保存されていて、
前記チラシ配布主が広告参加のための情報公開する方法のためにコンピュータを、
前記サーバ装置１が、
前記クライアント端末３からサーバ装置１にアクセスされた時に、前記電子地図データ提供端末５からの電子地図と、前記データベース１６から読み出した複数の地域名を前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡとを前記電子地図データ提供端末５のデータベースを検索して抽出すると共に、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と
して機能させるためのプログラムを記録したコンピュータ読み取り可能な記録媒体であることを特徴としている。
【００４６】
請求項２０に記載のプログラムを記録したコンピュータ読み取り可能な記録媒体では、チラシを印刷する印刷会社が管理するサーバ装置１と、共同広告を依頼する広告依頼人側のクライアント端末３と、このクライアント端末３の画面に電子地図を表示させるべく電子地図データを管理・提供する地図会社が管理する電子地図データ提供端末５とがインターネット２にて接続されており、
前記電子地図データ提供端末５のデータベースには、複数のチラシ配布主の店舗位置と、この各店舗位置の周囲を囲い前記チラシ配布主がチラシを配布する配布エリアＤＡとが記憶保存されており、
前記サーバ装置１のデータベース１６には、前記複数のチラシ配布主と、これらチラシ配布主による新聞の折り込みチラシとして既に配布が決定済みであって各チラシが配布される配布日と、チラシの配布枚数と、チラシの配布費用と、前記チラシの配布エリアＤＡがそれぞれ存在している複数の地域名とが記憶保存されていて、
前記チラシ配布主が広告参加のための情報公開する方法のためにコンピュータを、
前記サーバ装置１が、
前記クライアント端末３からサーバ装置１にアクセスされた時に、前記電子地図データ提供端末５からの電子地図と、前記データベース１６から読み出した複数の地域名を前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡとを前記電子地図データ提供端末５のデータベースを検索して抽出すると共に、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と、
前記第２の表示制御手段にて表示されている店舗位置の選択操作による検索要求により、前記データベース１６を検索して前記クライアント端末３の画面に当該配布主が配布するチラシの配布枚数及び費用を表示させる第３の表示制御手段と
して機能させるためのプログラムを記録したコンピュータ読み取り可能な記録媒体であることを特徴としている。
【００４７】
請求項２１に記載のプログラムを記録したコンピュータ読み取り可能な記録媒体では、チラシを印刷する印刷会社が管理するサーバ装置１と、共同広告を依頼する広告依頼人側のクライアント端末３とがインターネット２にて接続されており、
前記サーバ装置１のデータベース１６には、前記クライアント端末３の画面に表示させる地図データと、複数のチラシ配布主と、これら配布主の店舗位置と、これらの配布主による新聞の折り込みチラシとして既に配布が決定済みであって各チラシが配布される配布日と、前記チラシがそれぞれ配布される複数の地域名と、前記各地域名内における各配布主の店舗位置の周囲を囲ったチラシの配布エリアＤＡとが記憶保存されていて、
前記チラシ配布主が広告参加のための情報公開する方法のためにコンピュータを、
前記サーバ装置１が、
前記クライアント端末３からサーバ装置１にアクセスされた時に、地図データ及び複数の地域名を前記データベース１６から読み出して前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡと、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と
して機能させるためのプログラムを記録したコンピュータ読み取り可能な記録媒体であることを特徴としている。
【００４８】
請求項２２に記載のプログラムを記録したコンピュータ読み取り可能な記録媒体では、チラシを印刷する印刷会社が管理するサーバ装置１と、共同広告を依頼する広告依頼人側のクライアント端末３とがインターネット２にて接続されており、
前記サーバ装置１のデータベース１６には、前記クライアント端末３の画面に表示させる地図データと、複数のチラシ配布主と、これら配布主の店舗位置と、これらの配布主による新聞の折り込みチラシとして既に配布が決定済みであって各チラシが配布される配布日と、チラシの配布枚数と、チラシの配布費用と、前記チラシがそれぞれ配布される複数の地域名と、前記各地域名内における各配布主の店舗位置の周囲を囲ったチラシの配布エリアＤＡとが記憶保存されていて、
前記チラシ配布主が広告参加のための情報公開する方法のためにコンピュータを、
前記サーバ装置１が、
前記クライアント端末３からサーバ装置１にアクセスされた時に、地図データ及び複数の地域名を前記データベース１６から読み出して前記クライアント端末３の画面に表示させる第１の表示制御手段と、
前記第１の表示制御手段にて表示されている地域名の中から前記クライアント端末３から選択ないし入力された地域名による該クライアント端末３からの検索要求により、該地域名内での配布主の店舗位置と、前記チラシの配布エリアＤＡと、該当する配布主が配布するチラシの配布日を前記データベース１６を検索して抽出する検索手段と、
前記検索手段の検索・抽出結果により、地域名内での配布主の店舗位置及び前記チラシの配布エリアＤＡを、前記第１の表示制御手段にてクライアント端末３の画面に表示されている地図上に重ね合わせて表示させると共に、該当するチラシの配布日のすべてを一覧表示させる第２の表示制御手段と、
前記第２の表示制御手段により前記クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段と、
前記第２の表示制御手段にて表示されている店舗位置の選択操作による検索要求により、前記データベース１６を検索して前記クライアント端末３の画面に当該配布主が配布するチラシの配布枚数及び費用を表示させる第３の表示制御手段と
して機能させるためのプログラムを記録したコンピュータ読み取り可能な記録媒体であることを特徴としている。
【００４９】
請求項２３に記載のプログラムを記録したコンピュータ読み取り可能な記録媒体では、請求項１９〜請求項２２のいずれかに記載のプログラムを記録したコンピュータ読み取り可能な記録媒体において、
前記共同チラシの参加数は予め所定の件数が決められており、
前記サーバ装置１には、広告申込がすでに所定の申込件数に達しているか否かを管理する広告申込確認制御手段３４を備えており、
前記チラシ配布主が広告参加のための情報公開する方法のためにコンピュータを、
前記サーバ装置１が、
前記制御手段により当該配布日にチラシを配布する配布主の配布エリアＤＡを前記クライアント端末３の画面に表示させる際に、前記広告申込確認制御手段３４により広告申込がすでに所定の申込件数に達している場合には、配布エリアＤＡを着色表示させる第４の表示制御手段として機能させるためのプログラムを記録したコンピュータ読み取り可能な記録媒体であることを特徴としている。
【００５０】
請求項２４に記載のプログラムを記録したコンピュータ読み取り可能な記録媒体では、請求項１９〜請求項２２のいずれかに記載のプログラムを記録したコンピュータ読み取り可能な記録媒体において、
前記サーバ装置１は、前記店舗位置の選択操作がなされたときに、該選択操作された店舗の配布エリアＤＡを着色表示させる第５の表示制御手段を備えていて、
前記チラシ配布主が広告参加のための情報公開する方法のためにコンピュータを、
前記サーバ装置１が、
前記店舗位置の選択操作がなされたときに、該選択操作された店舗の配布エリアＤＡを着色表示させる第５の表示制御手段として機能させるためのプログラムを記録したコンピュータ読み取り可能な記録媒体であることを特徴としている。
【発明の効果】
【００５１】
そこで、本発明の請求項１記載の共同チラシの参加のための情報公開システムによれば、検索手段の検索・抽出結果により、配布地域名内での配布主の店舗位置及び前記チラシの配布エリアＤＡを、第１の表示制御手段にてクライアント端末３の画面に表示されている地図上に重ね合わせて表示させると共に、該当するチラシの配布日のすべてを一覧表示させる第２の表示制御手段を設けているので、チラシが配布される配布エリアＤＡを情報として表示（公開）されており、チラシの配布エリアＤＡと配布日とを広告依頼人に認識させることができ、共同チラシへの参加意欲を高めさせることができる。
広告依頼人がクライアント端末３からサーバ装置１へアクセスして、チラシを配布したい地域を決めて検索要求をし、その検索結果において、１店又は複数のスーパーの位置と、そのスーパーの位置の周囲を囲って作成したチラシを配布する配布エリアがクライアント端末３の画面の地図上に重ね合わせて表示されるので、チラシの配布エリアが面として表示されることになり、チラシを配布したい地域（配布エリア）が一目瞭然に広告依頼人に認識させることができ、これにより、共同広告に参加をしたいという気持ちを広告依頼人に高めさせることができる。よって共同チラシの作成へとスムーズに進めることができる。
また、任意に選択した地域にて新聞に折り込むチラシを利用して、無差別的に配布が可能となり、選択した配布エリアのほぼ全家庭にチラシの配布が可能ということから、広告への参加意欲を一層高めることができる。このように、チラシの配布エリアという情報を公開することで、広告への参加意欲を広告依頼人に高めさせることができる。また、ある程度、配布地域が限られている新聞の折り込みチラシの特性を利用して、広告依頼人が住む地域に関係なく、広告であるチラシを配布したい配布エリアをサーバ装置にアクセスしたクライアント端末の画面に表示させることで、広告への参加意欲を広告依頼人に高めさせることができる。
さらに、クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段を備えているので、広告依頼人がチラシを配布したい日にどの配布主がチラシを配布するのかが広告依頼人側に即座に認識させることができ、広告への参加意欲を一層高めることができる。また、希望した日であってチラシを配布したい配布エリアＤＡが消去されている場合には、当該日にはチラシが配布されないことが分かり、他の配布日や配布エリアＤＡへの変更をスムーズに行なわせることができる。
さらに、クライアント端末３からサーバ装置１にアクセスした場合に、クライアント端末３の画面に表示される、あるスーパー（チラシ配布主）のチラシの配布エリアＤＡは、単に１店の新聞販売店のチラシの配布エリアではなく、当該チラシ配布主の店舗位置を中心とした半径何キロメートルとしたエリアであり、複数、例えば全国紙のＡ新聞、Ｍ新聞、Ｙ新聞、地元のＫ新聞等の各新聞販売店が配布する地域を統合した配布エリアＤＡとしている。
そのため、あるスーパーがチラシを配布している配布エリアＤＡは、１店の新聞販売店の配布エリアよりは広く、共同広告に参加する場合の広告効果も広範囲に及ぼすことができ、共同広告に参加したいという気持ちを広告依頼人に一層高めさせることができる。
【００５２】
請求項２に記載の共同チラシの参加のための情報公開システムによれば、チラシが配布される配布エリアＤＡを情報として表示（公開）されており、チラシの配布エリアＤＡと配布日とを広告依頼人に認識させることができ、共同チラシへの参加意欲を高めさせることができる。
広告依頼人がクライアント端末３からサーバ装置１へアクセスして、チラシを配布したい地域を決めて検索要求をし、その検索結果において、１店又は複数のスーパーの位置と、そのスーパーの位置の周囲を囲って作成したチラシを配布する配布エリアがクライアント端末３の画面の地図上に重ね合わせて表示されるので、チラシの配布エリアが面として表示されることになり、チラシを配布したい地域（配布エリア）が一目瞭然に広告依頼人に認識させることができ、これにより、共同広告に参加をしたいという気持ちを広告依頼人に高めさせることができる。よって共同チラシの作成へとスムーズに進めることができる。
また、任意に選択した地域にて新聞に折り込むチラシを利用して、無差別的に配布が可能となり、選択した配布エリアのほぼ全家庭にチラシの配布が可能ということから、広告への参加意欲を一層高めることができる。このように、チラシの配布エリアという情報を公開することで、広告への参加意欲を広告依頼人に高めさせることができる。また、ある程度、配布地域が限られている新聞の折り込みチラシの特性を利用して、広告依頼人が住む地域に関係なく、広告であるチラシを配布したい配布エリアをサーバ装置にアクセスしたクライアント端末の画面に表示させることで、広告への参加意欲を広告依頼人に高めさせることができる。
さらに、クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段を備えているので、広告依頼人がチラシを配布したい日にどの配布主がチラシを配布するのかが広告依頼人側に即座に認識させることができ、広告への参加意欲を一層高めることができる。また、希望した日であってチラシを配布したい配布エリアＤＡが消去されている場合には、当該日にはチラシが配布されないことが分かり、他の配布日や配布エリアＤＡへの変更をスムーズに行なわせることができる。
また、第２の表示制御手段にて表示されている店舗位置の選択操作による検索要求により、データベース１６を検索して前記クライアント端末３の画面に当該配布主が配布するチラシの配布枚数及び費用を表示させる第３の表示制御手段を備えているので、チラシの配布に関することがすべて分かり、共同チラシに参加する場合の透明性を高めることができ、共同チラシへの参加意欲を広告依頼人に一層高めさせることができる。
さらに、クライアント端末３からサーバ装置１にアクセスした場合に、クライアント端末３の画面に表示される、あるスーパー（チラシ配布主）のチラシの配布エリアＤＡは、単に１店の新聞販売店のチラシの配布エリアではなく、当該チラシ配布主の店舗位置を中心とした半径何キロメートルとしたエリアであり、複数、例えば全国紙のＡ新聞、Ｍ新聞、Ｙ新聞、地元のＫ新聞等の各新聞販売店が配布する地域を統合した配布エリアＤＡとしている。
そのため、あるスーパーがチラシを配布している配布エリアＤＡは、１店の新聞販売店の配布エリアよりは広く、共同広告に参加する場合の広告効果も広範囲に及ぼすことができ、共同広告に参加したいという気持ちを広告依頼人に一層高めさせることができる。
【００５３】
請求項３に記載の共同チラシの参加のための情報公開システムによれば、検索手段の検索・抽出結果により、配布地域名内での配布主の店舗位置及び前記チラシの配布エリアＤＡを、第１の表示制御手段にてクライアント端末３の画面に表示されている地図上に重ね合わせて表示させると共に、該当するチラシの配布日のすべてを一覧表示させる第２の表示制御手段を設けているので、チラシが配布される配布エリアＤＡを情報として表示（公開）されており、チラシの配布エリアＤＡと配布日とを広告依頼人に認識させることができ、共同チラシへの参加意欲を高めさせることができる。
広告依頼人がクライアント端末３からサーバ装置１へアクセスして、チラシを配布したい地域を決めて検索要求をし、その検索結果において、１店又は複数のスーパーの位置と、そのスーパーの位置の周囲を囲って作成したチラシを配布する配布エリアがクライアント端末３の画面の地図上に重ね合わせて表示されるので、チラシの配布エリアが面として表示されることになり、チラシを配布したい地域（配布エリア）が一目瞭然に広告依頼人に認識させることができ、これにより、共同広告に参加をしたいという気持ちを広告依頼人に高めさせることができる。よって共同チラシの作成へとスムーズに進めることができる。
また、任意に選択した地域にて新聞に折り込むチラシを利用して、無差別的に配布が可能となり、選択した配布エリアのほぼ全家庭にチラシの配布が可能ということから、広告への参加意欲を一層高めることができる。このように、チラシの配布エリアという情報を公開することで、広告への参加意欲を広告依頼人に高めさせることができる。また、ある程度、配布地域が限られている新聞の折り込みチラシの特性を利用して、広告依頼人が住む地域に関係なく、広告であるチラシを配布したい配布エリアをサーバ装置にアクセスしたクライアント端末の画面に表示させることで、広告への参加意欲を広告依頼人に高めさせることができる。
さらに、クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段を備えているので、広告依頼人がチラシを配布したい日にどの配布主がチラシを配布するのかが広告依頼人側に即座に認識させることができ、広告への参加意欲を一層高めることができる。また、希望した日であってチラシを配布したい配布エリアＤＡが消去されている場合には、当該日にはチラシが配布されないことが分かり、他の配布日や配布エリアＤＡへの変更をスムーズに行なわせることができる。
さらに、クライアント端末３からサーバ装置１にアクセスした場合に、クライアント端末３の画面に表示される、あるスーパー（チラシ配布主）のチラシの配布エリアＤＡは、単に１店の新聞販売店のチラシの配布エリアではなく、当該チラシ配布主の店舗位置を中心とした半径何キロメートルとしたエリアであり、複数、例えば全国紙のＡ新聞、Ｍ新聞、Ｙ新聞、地元のＫ新聞等の各新聞販売店が配布する地域を統合した配布エリアＤＡとしている。
そのため、あるスーパーがチラシを配布している配布エリアＤＡは、１店の新聞販売店の配布エリアよりは広く、共同広告に参加する場合の広告効果も広範囲に及ぼすことができ、共同広告に参加したいという気持ちを広告依頼人に一層高めさせることができる。
【００５４】
請求項４に記載の共同チラシの参加のための情報公開システムによれば、チラシが配布される配布エリアＤＡを情報として表示（公開）されており、チラシの配布エリアＤＡと配布日とを広告依頼人に認識させることができ、共同チラシへの参加意欲を高めさせることができる。
広告依頼人がクライアント端末３からサーバ装置１へアクセスして、チラシを配布したい地域を決めて検索要求をし、その検索結果において、１店又は複数のスーパーの位置と、そのスーパーの位置の周囲を囲って作成したチラシを配布する配布エリアがクライアント端末３の画面の地図上に重ね合わせて表示されるので、チラシの配布エリアが面として表示されることになり、チラシを配布したい地域（配布エリア）が一目瞭然に広告依頼人に認識させることができ、これにより、共同広告に参加をしたいという気持ちを広告依頼人に高めさせることができる。よって共同チラシの作成へとスムーズに進めることができる。
また、任意に選択した地域にて新聞に折り込むチラシを利用して、無差別的に配布が可能となり、選択した配布エリアのほぼ全家庭にチラシの配布が可能ということから、広告への参加意欲を一層高めることができる。このように、チラシの配布エリアという情報を公開することで、広告への参加意欲を広告依頼人に高めさせることができる。また、ある程度、配布地域が限られている新聞の折り込みチラシの特性を利用して、広告依頼人が住む地域に関係なく、広告であるチラシを配布したい配布エリアをサーバ装置にアクセスしたクライアント端末の画面に表示させることで、広告への参加意欲を広告依頼人に高めさせることができる。
さらに、クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御手段を備えているので、広告依頼人がチラシを配布したい日にどの配布主がチラシを配布するのかが広告依頼人側に即座に認識させることができ、広告への参加意欲を一層高めることができる。また、希望した日であってチラシを配布したい配布エリアＤＡが消去されている場合には、当該日にはチラシが配布されないことが分かり、他の配布日や配布エリアＤＡへの変更をスムーズに行なわせることができる。
また、第２の表示制御手段にて表示されている店舗位置の選択操作による検索要求により、データベース１６を検索して前記クライアント端末３の画面に当該配布主が配布するチラシの配布枚数及び費用を表示させる第３の表示制御手段を備えているので、チラシの配布に関することがすべて分かり、共同チラシに参加する場合の透明性を高めることができ、共同チラシへの参加意欲を広告依頼人に一層高めさせることができる。
さらに、クライアント端末３からサーバ装置１にアクセスした場合に、クライアント端末３の画面に表示される、あるスーパー（チラシ配布主）のチラシの配布エリアＤＡは、単に１店の新聞販売店のチラシの配布エリアではなく、当該チラシ配布主の店舗位置を中心とした半径何キロメートルとしたエリアであり、複数、例えば全国紙のＡ新聞、Ｍ新聞、Ｙ新聞、地元のＫ新聞等の各新聞販売店が配布する地域を統合した配布エリアＤＡとしている。
そのため、あるスーパーがチラシを配布している配布エリアＤＡは、１店の新聞販売店の配布エリアよりは広く、共同広告に参加する場合の広告効果も広範囲に及ぼすことができ、共同広告に参加したいという気持ちを広告依頼人に一層高めさせることができる。
【００５５】
請求項５に記載の共同チラシの参加のための情報公開システムによれば、配布日にチラシを配布する配布主の配布エリアＤＡを前記クライアント端末３の画面に表示させる際に、広告申込確認制御手段３４により広告申込がすでに所定の申込件数に達している場合には、配布エリアＤＡを着色表示させる第４の表示制御手段を備えているので、広告依頼人側に着色表示されている配布エリアＤＡは広告の申込が不可であることを認識させることができ、また、本来はその日にもチラシが配布されるものであることを認識させることができ、そのため、広告の申込を早い目にしなければならないということも認識させることができる。
【００５６】
請求項６に記載の共同チラシの参加のための情報公開システムによれば、店舗位置の選択操作がなされたときに、該選択操作された店舗の配布エリアＤＡを着色表示させる第５の表示制御手段を備えているので、現在、選択しているスーパーの配布エリアＤＡが容易に認識できるようになっている。
【００５７】
請求項７に記載の共同チラシの参加のための情報公開方法によれば、チラシが配布される配布エリアＤＡを情報として表示（公開）されており、チラシの配布エリアＤＡと配布日とを広告依頼人に認識させることができ、共同チラシへの参加意欲を高めさせることができる。
広告依頼人がクライアント端末３からサーバ装置１へアクセスして、チラシを配布したい地域を決めて検索要求をし、その検索結果において、１店又は複数のスーパーの位置と、そのスーパーの位置の周囲を囲って作成したチラシを配布する配布エリアがクライアント端末３の画面の地図上に重ね合わせて表示されるので、チラシの配布エリアが面として表示されることになり、チラシを配布したい地域（配布エリア）が一目瞭然に広告依頼人に認識させることができ、これにより、共同広告に参加をしたいという気持ちを広告依頼人に高めさせることができる。よって共同チラシの作成へとスムーズに進めることができる。
また、任意に選択した地域にて新聞に折り込むチラシを利用して、無差別的に配布が可能となり、選択した配布エリアのほぼ全家庭にチラシの配布が可能ということから、広告への参加意欲を一層高めることができる。このように、チラシの配布エリアという情報を公開することで、広告への参加意欲を広告依頼人に高めさせることができる。また、ある程度、配布地域が限られている新聞の折り込みチラシの特性を利用して、広告依頼人が住む地域に関係なく、広告であるチラシを配布したい配布エリアをサーバ装置にアクセスしたクライアント端末の画面に表示させることで、広告への参加意欲を広告依頼人に高めさせることができる。
さらに、クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御ステップを備えているので、広告依頼人がチラシを配布したい日にどの配布主がチラシを配布するのかが広告依頼人側に即座に認識させることができ、広告への参加意欲を一層高めることができる。また、希望した日であってチラシを配布したい配布エリアＤＡが消去されている場合には、当該日にはチラシが配布されないことが分かり、他の配布日や配布エリアＤＡへの変更をスムーズに行なわせることができる。
さらに、クライアント端末３からサーバ装置１にアクセスした場合に、クライアント端末３の画面に表示される、あるスーパー（チラシ配布主）のチラシの配布エリアＤＡは、単に１店の新聞販売店のチラシの配布エリアではなく、当該チラシ配布主の店舗位置を中心とした半径何キロメートルとしたエリアであり、複数、例えば全国紙のＡ新聞、Ｍ新聞、Ｙ新聞、地元のＫ新聞等の各新聞販売店が配布する地域を統合した配布エリアＤＡとしている。
そのため、あるスーパーがチラシを配布している配布エリアＤＡは、１店の新聞販売店の配布エリアよりは広く、共同広告に参加する場合の広告効果も広範囲に及ぼすことができ、共同広告に参加したいという気持ちを広告依頼人に一層高めさせることができる。
【００５８】
請求項８に記載の共同チラシの参加のための情報公開方法によれば、チラシが配布される配布エリアＤＡを情報として表示（公開）されており、チラシの配布エリアＤＡと配布日とを広告依頼人に認識させることができ、共同チラシへの参加意欲を高めさせることができる。
広告依頼人がクライアント端末３からサーバ装置１へアクセスして、チラシを配布したい地域を決めて検索要求をし、その検索結果において、１店又は複数のスーパーの位置と、そのスーパーの位置の周囲を囲って作成したチラシを配布する配布エリアがクライアント端末３の画面の地図上に重ね合わせて表示されるので、チラシの配布エリアが面として表示されることになり、チラシを配布したい地域（配布エリア）が一目瞭然に広告依頼人に認識させることができ、これにより、共同広告に参加をしたいという気持ちを広告依頼人に高めさせることができる。よって共同チラシの作成へとスムーズに進めることができる。
また、任意に選択した地域にて新聞に折り込むチラシを利用して、無差別的に配布が可能となり、選択した配布エリアのほぼ全家庭にチラシの配布が可能ということから、広告への参加意欲を一層高めることができる。このように、チラシの配布エリアという情報を公開することで、広告への参加意欲を広告依頼人に高めさせることができる。また、ある程度、配布地域が限られている新聞の折り込みチラシの特性を利用して、広告依頼人が住む地域に関係なく、広告であるチラシを配布したい配布エリアをサーバ装置にアクセスしたクライアント端末の画面に表示させることで、広告への参加意欲を広告依頼人に高めさせることができる。
さらに、クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御ステップを備えているので、広告依頼人がチラシを配布したい日にどの配布主がチラシを配布するのかが広告依頼人側に即座に認識させることができ、広告への参加意欲を一層高めることができる。また、希望した日であってチラシを配布したい配布エリアＤＡが消去されている場合には、当該日にはチラシが配布されないことが分かり、他の配布日や配布エリアＤＡへの変更をスムーズに行なわせることができる。
また、店舗位置の選択操作による検索要求により、データベース１６を検索して前記クライアント端末３の画面に当該配布主が配布するチラシの配布枚数及び費用を表示させる第３の表示制御ステップを備えているので、チラシの配布に関することがすべて分かり、共同チラシに参加する場合の透明性を高めることができ、共同チラシへの参加意欲を広告依頼人に一層高めさせることができる。
さらに、クライアント端末３からサーバ装置１にアクセスした場合に、クライアント端末３の画面に表示される、あるスーパー（チラシ配布主）のチラシの配布エリアＤＡは、単に１店の新聞販売店のチラシの配布エリアではなく、当該チラシ配布主の店舗位置を中心とした半径何キロメートルとしたエリアであり、複数、例えば全国紙のＡ新聞、Ｍ新聞、Ｙ新聞、地元のＫ新聞等の各新聞販売店が配布する地域を統合した配布エリアＤＡとしている。
そのため、あるスーパーがチラシを配布している配布エリアＤＡは、１店の新聞販売店の配布エリアよりは広く、共同広告に参加する場合の広告効果も広範囲に及ぼすことができ、共同広告に参加したいという気持ちを広告依頼人に一層高めさせることができる。
【００５９】
請求項９に記載の共同チラシの参加のための情報公開方法によれば、チラシが配布される配布エリアＤＡを情報として表示（公開）されており、チラシの配布エリアＤＡと配布日とを広告依頼人に認識させることができ、共同チラシへの参加意欲を高めさせることができる。
広告依頼人がクライアント端末３からサーバ装置１へアクセスして、チラシを配布したい地域を決めて検索要求をし、その検索結果において、１店又は複数のスーパーの位置と、そのスーパーの位置の周囲を囲って作成したチラシを配布する配布エリアがクライアント端末３の画面の地図上に重ね合わせて表示されるので、チラシの配布エリアが面として表示されることになり、チラシを配布したい地域（配布エリア）が一目瞭然に広告依頼人に認識させることができ、これにより、共同広告に参加をしたいという気持ちを広告依頼人に高めさせることができる。よって共同チラシの作成へとスムーズに進めることができる。
また、任意に選択した地域にて新聞に折り込むチラシを利用して、無差別的に配布が可能となり、選択した配布エリアのほぼ全家庭にチラシの配布が可能ということから、広告への参加意欲を一層高めることができる。このように、チラシの配布エリアという情報を公開することで、広告への参加意欲を広告依頼人に高めさせることができる。また、ある程度、配布地域が限られている新聞の折り込みチラシの特性を利用して、広告依頼人が住む地域に関係なく、広告であるチラシを配布したい配布エリアをサーバ装置にアクセスしたクライアント端末の画面に表示させることで、広告への参加意欲を広告依頼人に高めさせることができる。
さらに、クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御ステップを備えているので、広告依頼人がチラシを配布したい日にどの配布主がチラシを配布するのかが広告依頼人側に即座に認識させることができ、広告への参加意欲を一層高めることができる。また、希望した日であってチラシを配布したい配布エリアＤＡが消去されている場合には、当該日にはチラシが配布されないことが分かり、他の配布日や配布エリアＤＡへの変更をスムーズに行なわせることができる。
さらに、クライアント端末３からサーバ装置１にアクセスした場合に、クライアント端末３の画面に表示される、あるスーパー（チラシ配布主）のチラシの配布エリアＤＡは、単に１店の新聞販売店のチラシの配布エリアではなく、当該チラシ配布主の店舗位置を中心とした半径何キロメートルとしたエリアであり、複数、例えば全国紙のＡ新聞、Ｍ新聞、Ｙ新聞、地元のＫ新聞等の各新聞販売店が配布する地域を統合した配布エリアＤＡとしている。
そのため、あるスーパーがチラシを配布している配布エリアＤＡは、１店の新聞販売店の配布エリアよりは広く、共同広告に参加する場合の広告効果も広範囲に及ぼすことができ、共同広告に参加したいという気持ちを広告依頼人に一層高めさせることができる。
【００６０】
請求項１０に記載の共同チラシの参加のための情報公開方法によれば、チラシが配布される配布エリアＤＡを情報として表示（公開）されており、チラシの配布エリアＤＡと配布日とを広告依頼人に認識させることができ、共同チラシへの参加意欲を高めさせることができる。
広告依頼人がクライアント端末３からサーバ装置１へアクセスして、チラシを配布したい地域を決めて検索要求をし、その検索結果において、１店又は複数のスーパーの位置と、そのスーパーの位置の周囲を囲って作成したチラシを配布する配布エリアがクライアント端末３の画面の地図上に重ね合わせて表示されるので、チラシの配布エリアが面として表示されることになり、チラシを配布したい地域（配布エリア）が一目瞭然に広告依頼人に認識させることができ、これにより、共同広告に参加をしたいという気持ちを広告依頼人に高めさせることができる。よって共同チラシの作成へとスムーズに進めることができる。
また、任意に選択した地域にて新聞に折り込むチラシを利用して、無差別的に配布が可能となり、選択した配布エリアのほぼ全家庭にチラシの配布が可能ということから、広告への参加意欲を一層高めることができる。このように、チラシの配布エリアという情報を公開することで、広告への参加意欲を広告依頼人に高めさせることができる。また、ある程度、配布地域が限られている新聞の折り込みチラシの特性を利用して、広告依頼人が住む地域に関係なく、広告であるチラシを配布したい配布エリアをサーバ装置にアクセスしたクライアント端末の画面に表示させることで、広告への参加意欲を広告依頼人に高めさせることができる。
さらに、クライアント端末３の画面に表示されている配布日から任意の配布日の検索要求により当該配布日にチラシを配布する配布主の配布エリアＤＡの表示を該クライアント端末３の画面に維持させると共に、当該配布日にチラシを配布しない配布主の配布エリアＤＡの表示を該クライアント端末３の画面から消去させる制御ステップを備えているので、広告依頼人がチラシを配布したい日にどの配布主がチラシを配布するのかが広告依頼人側に即座に認識させることができ、広告への参加意欲を一層高めることができる。また、希望した日であってチラシを配布したい配布エリアＤＡが消去されている場合には、当該日にはチラシが配布されないことが分かり、他の配布日や配布エリアＤＡへの変更をスムーズに行なわせることができる。
また、データベース１６を検索して前記クライアント端末３の画面に当該配布主が配布するチラシの配布枚数及び費用を表示させる第３の表示制御ステップを備えているので、チラシの配布に関することがすべて分かり、共同チラシに参加する場合の透明性を高めることができ、共同チラシへの参加意欲を広告依頼人に一層高めさせることができる。
さらに、クライアント端末３からサーバ装置１にアクセスした場合に、クライアント端末３の画面に表示される、あるスーパー（チラシ配布主）のチラシの配布エリアＤＡは、単に１店の新聞販売店のチラシの配布エリアではなく、当該チラシ配布主の店舗位置を中心とした半径何キロメートルとしたエリアであり、複数、例えば全国紙のＡ新聞、Ｍ新聞、Ｙ新聞、地元のＫ新聞等の各新聞販売店が配布する地域を統合した配布エリアＤＡとしている。
そのため、あるスーパーがチラシを配布している配布エリアＤＡは、１店の新聞販売店の配布エリアよりは広く、共同広告に参加する場合の広告効果も広範囲に及ぼすことができ、共同広告に参加したいという気持ちを広告依頼人に一層高めさせることができる。
【００６１】
請求項１１に記載の共同チラシの参加のための情報公開方法によれば、配布日にチラシを配布する配布主の配布エリアＤＡを前記クライアント端末３の画面に表示させる際に、広告申込確認制御手段３４により広告申込がすでに所定の申込件数に達している場合には、配布エリアＤＡを着色表示させる第４の表示制御ステップを備えているので、広告依頼人側に着色表示されている配布エリアＤＡは広告の申込が不可であることを認識させることができ、また、本来はその日にもチラシが配布されるものであることを認識させることができ、そのため、広告の申込を早い目にしなければならないということも認識させることができる。
【００６２】
請求項１２に記載の共同チラシの参加のための情報公開方法によれば、店舗位置の選択操作がなされたときに、該選択操作された店舗の配布エリアＤＡを着色表示させる第５の表示制御ステップを備えているので、現在、選択しているスーパーの配布エリアＤＡが容易に認識できるようになっている。
【００６３】
請求項１３から請求項１８に記載の共同チラシの参加のための情報公開方法のプログラムによれば、本発明の方法の実施に好適例のプログラムを提供でき、上記と同様の効果を奏する。
【００６４】
請求項１９から請求項２４に記載のコンピュータ読み取り可能な記録媒体によれば、本発明の方法の実施に適したプログラムを記録した記録媒体であり、上記と同様の効果を奏する。
【発明を実施するための最良の形態】
【００６５】
（第１の実施の形態）
以下、本発明の第１の実施の形態を図面を参照して詳細に説明する。本発明の共同チラシの参加のための情報公開システム及び共同チラシの参加のための情報公開方法は、共同チラシを作成する場合に広告依頼人が広告に参加をしたくなるような情報を公開するようにしたものである。
この共同チラシの作成システム全体を企画、運営、管理する印刷会社は、新聞の折り込みのチラシを印刷する会社であり、多数のチラシ配布主からの依頼により、コンピュータによりチラシの版下を作成し、この版下を元に印刷してチラシを作成している。そして、チラシを印刷した後は、チラシ配布主が配布を希望する各地域（地区）の新聞販売店まで配送する。そして、チラシは新聞の折り込みチラシとして朝刊と共に各家庭に配布されることになる。
【００６６】
ここで、チラシ配布主は、食料品や飲料品等を主に販売している、所謂食品スーパーや、食品、衣料、雑貨等の種々の商品の販売を行なっているスーパーマーケットであり、以下の説明では、チラシ配布主をスーパーと称して説明する。
なお、スーパーは、京都市の地域ないし地区（行政区）、例えば、中京区、上京区、下京区、左京区、右京区等の各地区における店舗数としては、多くても２０〜３０店舗くらいである。また、京都市以外の郡部では、スーパーの店舗数は上記よりは少なくなり、また、他府県においても同様であり、一般の市町村における区画した地域でもスーパーの店舗数は上記と同様であり、それほど多くはない。
【００６７】
印刷会社がチラシ作成の依頼を受けるスーパーは、例えば、京都府、大阪府、滋賀県等の比較的広い地域にわたり、スーパーの店舗数もかなりの数に達している。もちろん全国的に展開している場合も含むものである。また、スーパーのチラシを折り込む新聞も、１社のみではなく、一般的には、Ａ新聞、Ｍ新聞、Ｙ新聞等の全国紙の他に地元の新聞社、例えば、京都ではＫ新聞等に折り込んでチラシを配布している。また、多くはないがＮ経済新聞にもチラシを折り込む場合もある。
スーパーはチラシを配布しようとする場合に、配布日はもちろん配布する地域を決め、その決めた地域にある各新聞の販売店に各販売店が配る新聞の部数に応じたチラシの枚数を印刷会社に依頼して、その枚数のチラシを印刷会社あるいは印刷会社に委託された配布業者が各地域の新聞販売店に配送するようになっている。
【００６８】
図１は各スーパーがチラシを配布する場合の配布地域と配布枚数の一例を示しており、Ａスーパーでは、ａ地域で各新聞に折り込む合計の例えば１００００枚のチラシを配布するようにしている。また、各スーパーにおいて、定期的にチラシを配布する配布エリアや配布する枚数は通常は決まっており、自己の店を中心に何キロメートルの範囲で配布するようにしている。
また、ＡスーパーとＢスーパーとが近くにある場合もあり、図１ではＢスーパーが配布する地域をｂ地域としているが、両スーパーが隣接する場合には、Ｂスーパーの配布地域はＡスーパーと同様のａ地域となる。
【００６９】
印刷会社は、取り引きのある各スーパーの店名や、各スーパーが配布するチラシの配布日、配布エリア及び配布枚数を契約により確定しており、これをデータベース化している。
特に、配布日は、現在から例えば、３カ月先までを印刷会社と各スーパーとがそれぞれ予め決めていき、共同チラシに参加をしようとする多数の広告依頼人に対して３カ月先までの共同チラシの配布日、配布エリア、配布枚数、広告費用等の情報を公開するようにしている。なお、配布するチラシ（共同チラシ）の枚数は、配布日が異なる場合でも、ほぼ一定の枚数であり、チラシの配布枚数が大きく変動することは、頻繁に発生するものではない。
【００７０】
次に、本発明の共同チラシの作成システムについて説明する。図２は共同チラシの製作システムの概略を示すブロック図を示し、本システムは、印刷会社が管理するサーバ装置１と、このサーバ装置１にインターネット２を介して接続される多数のクライアント端末３と、前記サーバ装置１にインターネット２を介して常時接続状態となっている地図会社のコンピュータからなる電子地図データ提供端末５から構成されている。
クライアント端末３は、共同広告を印刷会社に依頼する広告依頼人側のコンピュータであり、電子メールやＷｅｂブラウザのソフトウエアがインストールされている一般のパソコンである。また、サーバ装置１側ではクライアント端末３の画面に電子地図を表示させる電子地図データを持つのではなく、クライアント端末３からサーバ装置１にアクセスがあった場合に、該サーバ装置１を介して電子地図データ提供端末５にアクセスして、該電子地図データ提供端末５の電子地図データによりクライアント端末３の画面に電子地図を表示させるようにしている。
【００７１】
図３は上記サーバ装置１のブロック図を示し、このサーバ装置１はコンピュータからなっている。このサーバ装置１は、入力装置１１、出力装置１２、表示装置１３、主制御装置１４、メモリ１５およびデータベース１６等で構成されている。
上記入力装置１１は、キーボード、マウス、フレキシブルディスクドライブ、スキャナー、ＣＤ−ＲＯＭやＤＶＤなどのドライブ装置等からなり、また、出力装置１２は、プリンター、フレキシブルディスクドライブ、ＣＤ−ＲＯＭやＤＶＤなどのドライブ装置等からなっている。表示装置１３は、液晶ディスプレイやＣＲＴディスプレイ等である。
【００７２】
ＣＰＵ等で構成される主制御装置１４は、サーバ装置１全体の制御を所定のプログラムの手順に沿って行なうものであり、また、メモリ１５は、上記制御用のプログラムを格納しているＲＯＭや、クライアント端末３からのデータを一時的に格納するＲＡＭ等で構成されている。
【００７３】
データベース１６は、スーパー別フォルダ１７、クライアント別フォルダ１９等で構成されており、このデータベース１６のスーパー別フォルダ１７には、各スーパーが配布日がすでに決定済みの所定の日に配布するチラシの版下データや、配布日、配布エリア、配布枚数、費用等のチラシに関するデータが記憶保存される。また、このデータベース１６のスーパー別フォルダ１７には、前回あるいは以前に配布した共同チラシの版下データが広告依頼人に参考用として表示させるために格納されている。
また、クライアント別フォルダ１９は、同一のチラシの配布日に複数のスーパーに広告を申し込んだ場合や、同一のスーパーに異なる配布日に一括して広告を申し込んだ場合において、チラシの配布枚数の合計や費用の総額、その他広告依頼人に関する諸データがクライアント別に格納される。
【００７４】
図４は上記主制御装置１４の機能ブロック図を示し、各部の詳細な機能は後述するが、チラシ版下作成部２１は、各スーパーが配布するためのチラシの版下を作成するものであり、カウンタ制御部２２は、クライアント端末３から入力される各共同チラシの共同広告の申込件数をそれぞれカウントする機能等を有している。クライアントデータ保存制御部２３は、各クライアント端末３から送られてくる該クライアント端末３（広告依頼人）の各データの保存処理を行なう機能を有している。
【００７５】
期日制御部２４は、チラシの複数の配布日より以前のクライアント端末３からの申込の締め切り期日をそれぞれ設定し、申込期日を管理するものであり、サーバ装置１側で設定される。広告枠数制御部２５は、チラシの大きさにより広告枠の数が決められるようになっており、チラシの一部に設けている共同広告スペースから自動あるいは手動で決められる。この手動の場合には入力装置１１からオペレータが入力する。
【００７６】
広告枠演算・決定制御部２６は、上記広告枠数制御部２５にて設定されている広告枠数に申込件数が達しなかった場合に、広告スペースに合うように広告枠の面積を広げるべく広告枠の大きさを演算し、決定するものである。また、通知制御部２７は、決定された広告枠の大きさをクライアント端末３へインターネット２を介して電子メールにて通知する機能を有しているものである。
サーバ装置用表示制御部２８は、サーバ装置１側でチラシの版下やクライアント端末３からの広告の表示処理を行なう機能を有している。
【００７７】
電子メールサーバ部２９は、上記通知制御部２７により制御されてクライアント端末３に対して電子メールの送受信を行なう機能を有している。また、地図表示用接続部３０は、電子地図データ提供端末５と常時接続していて、クライアント端末３からサーバ装置１にアクセスがあった場合に、電子地図データ提供端末５にアクセスして該電子地図データ提供端末５自身が提供する電子地図（例えば、後述するように京都市内の地図）をクライアント端末３の画面に表示させる機能を有している。
店舗表示制御部３１は、上記地図表示用接続部３０介して電子地図データ提供端末５からクライアント端末３の画面に地図を表示させて、クライアント端末３からスーパーの位置が選択操作された場合に、チラシの配布主である当該スーパーの店名、店舗写真などをデータベース１６から読み出して該クライアント端末３の画面に表示させるものである。
【００７８】
配布内容表示制御部３２は、クライアント端末３からアクセスがあった場合に、該当するスーパーがチラシを配布する配布日（複数の配布日を含む）、配布枚数、チラシ１枚当たりの広告単価や総額の費用をデータベース１６から読み出してクライアント端末３の画面に表示させるものである。なお、配布枚数や費用は該当するチラシの配布日に対応したチラシの配布枚数、費用である。
チラシ版下表示制御部３３は、該当するスーパーの以前に配布したチラシ（共同チラシ）の版下のデザインをデータベース１６から読み出してクライアント端末３側に表示させる機能を有している。
【００７９】
広告申込確認制御部３４は、クライアント端末３から共同広告の申し込みの確認（登録）があった場合に、各スーパーの各配布日の申込の確認・登録を管理し、当該クライアント端末３からの申込確定をデータベース１６に格納する機能や、チラシの配布日におけるスーパーの広告申込がすでに所定の申込件数に達しているか否かを管理する機能等を有している。
また、検索制御部３５は、クライアント端末３からサーバ装置１にアクセスがあって、広告依頼人がチラシを配布したい地域におけるスーパーの有無の検索要求があった場合に、チラシを配布するスーパーを検索して抽出したり、該検索されたスーパーがチラシを配布する配布日を検索して抽出する機能を有している。
【００８０】
また、広告データ制御部３６は、データベース１６の広告枠データファイル４１（図６参照）から共同広告の申込件数に応じて決定されて格納されている広告枠を読み出して表示させるものである。チラシデータ保存制御部３７は、クライアント端末３から広告枠に広告文等を入力して、広告内容がＯＫの場合に、該広告の保存や、サーバ装置１側で作成した広告文や、広告依頼人が直接持ち込んだり、郵送した広告文のデータ等の保存や、各スーパーのチラシのデータを保存処理を行なう機能を有している。
【００８１】
また、広告日表示制御部３８は、クライアント端末３からサーバ装置１にアクセスがあった場合に、チラシを配布したい地域の検索結果により該当するスーパーがあった場合で、既にチラシの配布日（広告日）が決定しているのを表示させるものであり、例えば、クライアント端末３の画面にカレンダー形式にて広告日の一覧を表示制御させる機能を有している。
また、完成版下作成部１００は、チラシ版下作成部２１により作成されたスーパー側が作成した版下データと、広告依頼人側が作成した広告用の版下データとを組み合わせて（割り当てて）完成した版下データを作成する機能を有している。
【００８２】
配布エリア作成部１０１、配布エリアデータ保存制御部１０２及び配布エリア表示制御部１０３は、詳細はそれぞれ後述するが、配布エリア作成部１０１は、各スーパーがチラシを配布するエリアを作成する機能を有し、配布エリアデータ保存制御部１０２は、該配布エリア作成部１０１にて作成した各スーパーのチラシの配布エリアのデータを、後述するように電子地図データ提供端末５の地図データのレイヤーに書き込んで保存する機能を有している。
【００８３】
また、配布エリア表示制御部１０３は、クライアント端末３からサーバ装置１にアクセスがあった場合に、該当するスーパーの配布エリアがクライアント端末３の画面の電子地図上に重ね合わせて表示されるように、または表示していた配布エリアを消去するように電子地図データ提供端末５の配布エリアが書き込まれているレイヤーを駆動制御する機能を有している。また、この配布エリア表示制御部１０３は、後述するようにクライアント端末３からの要求の結果に応じて配布エリア内を着色させたり、着色を解除したりするように電子地図データ提供端末５のレイヤーを制御する機能をも備えている。
【００８４】
さらに、総計演算・表示制御部１０４は、共同チラシの配布を１店舗のスーパーのみで行なうのではなく、チラシの配布を広範囲にわたってする場合に後述するようにクライアント端末３の画面上から複数のスーパーを選択した場合に、選択する毎に当該スーパーのチラシの配布枚数、費用を合計していき、該クライアント端末３の画面に表示させる機能を備えているものである。
また、店舗数申込判断制御部１０５は、クライアント端末３からの広告の申込が１店舗のスーパーのみか、あるいは複数の店舗のスーパーに広告の申込なのかをクライアント端末３からの申込要求により判断を行ない、以後の申込操作等を管理、制御するものである。
【００８５】
図５は上記データベース１６の構造を示しており、各スーパーのデータを格納するスーパー別フォルダ１７は、各スーパーごとに対応したフォルダからなっている。ここでは、Ａスーパーに対応したフォルダを１７ａとし、Ｂスーパーに対応したフォルダを１７ｂとし、以下、Ｎスーパーに対応したフォルダ１７ｎを備えている。
また、クライアント別フォルダ１９は、クライアント別に設けたクライアントフォルダ１９ａ、１９ｂ・・・から構成されていて、広告依頼人が１つの配布日に広告を申し込んだ場合はもちろん、広告依頼人が複数の配布日に広告を申し込んだ場合や、複数のスーパーに広告を申し込んだ場合などにおけるチラシの配布枚数の合計や、費用の総額、広告依頼人が過去に使用した広告原稿（広告用版下データ）などその他、広告依頼人に関するすべてのデータを広告依頼人別に保存しておくものである。なお、これらの広告依頼人に関する諸データは、主制御装置１４のクライアントデータ保存制御部２３によりクライアント別フォルダ１９に保存される。
【００８６】
図６はデータベース１６のスーパー別フォルダ１７内のＡスーパーのファイル構成図を示している。他のＢスーパー以降も同じ構成なので、Ａスーパーの場合について説明する。Ａスーパーフォルダ１７ａの下層には複数の配布日データフォルダ３９（３９ａ、３９ｂ・・・）が設けてあり、例えば、１週間先のチラシの配布日に対応した配布日データは、配布日データフォルダ３９ａに格納され、２週間先のチラシの配布日に対応した配布日データは、別の配布日データフォルダ３９ｂに格納されるようになっている。つまり、同一のスーパーが配布する日が現在から、例えば３カ月先程度まで予定が組まれることで、少なくとも３カ月先までの多数の配布日データフォルダ３９ｃ、３９ｄ、３９ｅ・・・を有している。
なお、共同チラシの配布日の予定を保存しておく期間としては、上記の例では３カ月としているが、６カ月先、あるいは１年先でも良い。
【００８７】
そして、図６に示すように、配布日データフォルダ３９（３９ａ）の下層には、申込期日データファイル４０、広告枠データファイル４１、申込件数データファイル４２、クライアントデータファイル４３、版下データファイル４４、チラシデータファイル４６及び完成版下データファイル４７が設けられている。
【００８８】
申込期日データファイル４０は、当該共同広告の締め切り期日データが格納されるものであり、サーバ装置１の入力装置１１からオペレータにて入力される。広告枠データファイル４１は、広告枠数制御部２５や広告枠演算・決定制御部２６により決定された広告枠の大きさのデータを格納しておくものである。
申込件数データファイル４２は、予め定めた申込件数や、カウンタ制御部２２からの共同広告の申込件数を格納しておくものである。
【００８９】
クライアントデータファイル４３は、Ａスーパーに共同チラシの広告を申し込んだ依頼人のクライアント端末３から送信された広告内容等の広告用版下データ、メールアドレス、パスワードなどの広告依頼人に関するデータが保存されるものであり、複数の広告依頼人に対応した記憶領域が設けられている。
版下データファイル４４は、Ａスーパーが前回あるいは以前に配布した共同チラシの版下データと、Ａスーパーが当該日に配布する予定のチラシの版下データが保存されるようになっており、共同広告のスペースの部分を除いたデザインの版下データである。
【００９０】
また、チラシデータファイル４６には、当該スーパーの住所、店舗名、店舗写真、チラシの配布日、配布枚数、チラシの大きさによるチラシ１枚当たりの広告依頼人が支払う単価と、その単価に配布枚数を掛けた総額の費用等の各データが格納されている。
完成版下データファイル４７は、完成版下作成部１００により、クライアントデータファイル４３に格納されている広告依頼人の広告文等の広告用版下データと、版下データファイル４４に格納されているチラシ配布主の版下データとを組み合わせて完成させた（作成された）印刷用のチラシの完成版下データが保存される。
【００９１】
次に、図７を用いてスーパーがチラシを配布する配布エリアの作成について説明する。先ず、全国紙のＡ新聞、Ｍ新聞、Ｙ新聞と、地元のＫ新聞の新聞自体の配布地域（配布範囲）はそれぞれ同一ではなく、異なっている。地域によっては同じような配布地域もあるが、大きく異なる場合もある。
図７は、Ａスーパーの周辺での各新聞の配布地域を示しており、長破線はＡ新聞の配布地域を示し、短破線はＭ新聞の配布地域を、一点鎖線はＹ新聞の配布地域を、二点鎖線はＫ新聞の配布地域をそれぞれ示している。
【００９２】
スーパーが新聞に折り込むチラシを配布する地域（配布エリア）は、全ての新聞の配布地域を合わせた範囲としており、この各新聞の配布地域を合わせた範囲を印刷会社側のオペレータがサーバ装置１の配布エリア作成部１０１にて、例えば、円で囲った配布エリアとして独自に作成している。
【００９３】
次に、図８によりクライアント端末３の画面の電子地図上に配布エリア等を重ね合わせ表示させる手法について説明する。なお、このレイヤーを用いた手法は一般的な技術であるので簡単に説明する。地図会社が提供する電子地図データをコピーしたレイヤーＢＬが該地図会社から電子地図データの元データとして提供されている。
そして、このレイヤーＢＬに書き込まれている電子地図データの使用権を印刷会社が買い、さらに、この電子地図データが格納されているレイヤーＢＬの上層に設けたレイヤーＬに本発明に特有なデータを書き込むようにしている。この図８に示す構造は地図会社の電子地図データ提供端末５のデータベースに格納されているものである。
【００９４】
地図会社が提供している電子地図データを書き込んでいるレイヤーＢＬの座標と、新たに追加したレイヤーＬの座標とは同期をとっており、クライアント端末３から電子地図の拡大、縮小、スクロール等の要求があった場合には、電子地図データ提供端末５側のソフトウエアと連動して、レイヤーＬも拡大、縮小、スクロールの制御がなされる。
また、印刷会社のサーバ装置１は、地図会社が電子地図データを格納しているレイヤーＢＬに対しては、印刷会社独自のデータの上書き、書き込み、加工等はすることが出来ないようになっており、単にレイヤーＢＬの電子地図データを使用（利用）させてもらうだけである。
【００９５】
図８に示すように、電子地図データを格納しているレイヤーＢＬの上層のレイヤーＬには、円形あるいは楕円形とした各スーパーがチラシを配布する配布エリアＤＡのデータを書き込んでいる。この配布エリアＤＡのレイヤーＬへの書き込み位置は各スーパーが位置する箇所であって、レイヤーＢＬの電子地図データの座標と同期をとっている。したがって、クライアント端末３の画面には、電子地図上にスーパーの位置に対応した配布エリアＤＡが表示されることになる。
また、同様にして各スーパーの店舗位置を表した旗印のマークも各配布エリアＤＡに合わせてデータとして書き込んでいる。
【００９６】
また、レイヤーＬに書き込んだ各配布エリアＤＡ内を着色表示させたり、配布エリアＤＡ自体の表示を維持させたり、消去させたりするのは、サーバ装置１の主制御装置１４の配布エリア表示制御部１０３にて行なうようになっている。
【００９７】
レイヤーＬと電子地図データの元データを格納しているレイヤーＢＬとは座標の同期をとっている。そして、主制御装置１４の制御により、レイヤーＬの所望の配布エリアＤＡを表示制御または非表示制御したり、旗印のマークだけが表示されたり、あるいは配布エリアＤＡと旗印のマークとが表示されたり、あるいは配布エリアＤＡ内を着色表示させたのがクライアント端末３の画面の電子地図上に表示されることになる。
【００９８】
電子地図データ提供端末５側のレイヤーＬの配布エリアＤＡ、旗印のマーク、旗印のマーク等の制御はクライアント端末３からの要求に応じて主制御装置１４が制御するものであり、詳しくは後述する。
【００９９】
また、図７ではスーパーの店舗位置を旗印のマークで表示しており、配布エリアを太い実線の円形としている。この配布エリアは、円形に限らず、各新聞の配布地域の範囲（形状）に応じて、楕円形や、多角形となる場合もある。
なお、本発明の共同チラシの作成システムでは、厳密な配布エリアＤＡが要求されているものではなく、おおよその配布のエリアを共同チラシに参加をしようとする人たちに提供すれば良いことから、配布エリアＤＡの形状を円形や楕円形としている。
【０１００】
このようにして、各スーパーの店舗位置、チラシの配布エリアＤＡのデータのレイヤーＬへの書き込みは、主制御装置１４の配布エリア作成部１０１側で電子地図データ提供端末５にアクセスして行なわれる。そして、サーバ装置１側のオペレータの保存要求により配布エリアデータ保存制御部１０２でもって、電子地図データ提供端末５側のデータベース（図示せず）に格納される。
【０１０１】
また、図７に示す配布エリアを作成する場合、各新聞に折り込まれるチラシの配布枚数も予め決まっているので、新聞各紙の配布枚数を合計して、当該配布エリアで配布されるチラシの配布枚数を決定し、当該スーパーでの配布エリアにおける配布枚数をデータベース１６のチラシデータファイル４６に格納される。
この作業は、各スーパーごとにチラシの配布枚数を決定し、各スーパー別フォルダ１７のチラシデータファイル４６に格納される。なお、異なる配布日で、チラシの配布枚数が異なる場合は、それに応じた配布枚数のデータがチラシデータファイル４６に格納されるようになっている。
【０１０２】
次に、本発明の共同チラシの作成システムの作用について説明する。先ず、チラシを配布しようとするスーパーはそれぞれチラシの版下の作成を印刷会社に依頼する。現在チラシの版下作成は、コンピュータで行なわれており、図４に示すチラシ版下作成部２１にて本サーバ装置１でチラシの版下を作成するようにしても良い。なお、このチラシ版下作成部２１に本発明者が発明した特許第３３０８２６１号にかかる機能を持たせてチラシの版下を作成するようにしても良い。
コンピュータによるチラシの版下自体の作成は、既に周知であり、また、本発明の要旨ではないので、説明は省略する。
【０１０３】
図９は、上記チラシ版下作成部２１にて作成された、あるスーパーのチラシの版下データ５１の一例を示しており、データベース１６の版下データファイル４４に格納されている。この版下データ５１には、スーパー側と印刷会社側との打ち合わせにて共同広告のスペースを決めた共同広告部５２以外の箇所に商品とその価格がレイアウトされる。チラシの大きさは任意の大きさで良く、また、共同広告部５２のスペースも任意に設定できる。
図９に示す例では、共同広告部５２に掲載する広告枠５３の数を５つの場合としており、また、広告枠５３の配置はこの例では上下方向としているが、どのような配置構成でも良い。なお、共同広告部５２では、「コラボコーナー」とした名称を用いている。
【０１０４】
なお、チラシのどこに共同広告部５２を配置するかはチラシの配布主が任意に設定でき、チラシの大きさに応じて表の半分を自己の商品の広告とし、残りの半分を共同広告部５２としても良い。また、チラシの表の全面に自己の商品の広告とし、裏面の全体を共同広告用の共同広告部５２としてのスペースを取るようにしても良い。
【０１０５】
ここで、図９に示す版下データ５１は、次回の配布日に配布される版下データであり、そのため、商品の名称や写真と共に、商品の値段が掲載されているものである。そして、この版下データ５１は、チラシが配布されるまでは守秘義務があるため、クライアント端末３の画面には表示（公開）されないようになっている。
また、図１０は前回あるいは以前に配布された版下データ５１を示しており、この既に配布された版下データ５１は、広告依頼人が広告を申し込む際に参考用としてクライアント端末３の画面に表示させるようにしている。
【０１０６】
そして、チラシ版下作成部２１により作成された図９に示す版下データ５１と、チラシデータ保存制御部３７によりデータベース１６の版下データファイル４４に格納される。また、サーバ装置１のオペレータにより以前に作成された図１０に示す版下データ５１がデータベース１６の版下データファイル４４に格納されるようになっている。
【０１０７】
また、チラシの版下データ５１を作成する場合には、該チラシの配布日、配布枚数、チラシの単価及び総額が決められるので、チラシの配布日データを配布日データフォルダ３９を介してチラシデータファイル４６に店舗名などと共に格納する。また、上記版下データ５１は版下データファイル４４に格納される。
【０１０８】
また、チラシの印刷から配布までの費用として、チラシ１枚が例えば、１０円とした場合、ここでは図９に示すように５つの広告枠５３を設けていて、１つの広告枠５３の費用として、例えば、１円あるいは５０銭とし、その単価及び総額（単価×配布枚数）のデータをチラシデータファイル４６に格納する。例えば、５つの広告枠５３に５人が共同広告を申し込んだ場合、１つの広告枠５３がチラシ１枚当たりの費用が１円とすると、５人の広告依頼人が合計５円を負担し、残りの５円をスーパーが負担するようにしている。これにより、スーパー側での広告の費用の負担を軽減化することができる。
なお、チラシに関する各種のデータをデータベース１６に保存する場合には、図４に示す主制御装置１４のチラシデータ保存制御部３７により保存制御される。
【０１０９】
このようにして、各スーパーあるいは印刷会社は、所定の期日までに、配布日を基準として版下データを作成し、サーバ装置１側では、版下データを元にチラシに関する各種のデータを各スーパーごとのスーパー別フォルダ１７にそれぞれ格納しておく。なお、これらのデータはサーバ装置１のオペレータが入力装置１１により格納操作される。
なお、チラシのデータの格納は、サーバ装置１側のオペレータが入力操作により格納するようにしても良く、また、前記特許第３３０８２６１号による場合では、各種のデータを受け取る際にチラシデータ保存制御部３７が自動で順次格納するようにしても良い。
【０１１０】
次に、広告依頼人がクライアント端末３からインターネット２を介してサーバ装置１にアクセスして、共同チラシの広告を申し込む場合の動作について説明する。先ず、図１１のステップＳ１に示すように、広告依頼人のクライアント端末３から印刷会社が管理しているサーバ装置１のサイトへインターネット２を介してアクセスすると、自己のクライアント端末３の液晶ディスプレイの表示部６０には、図２０に示すような画面が表示される。
この図２０に示されている画面の次ボタン６１をマウスポインタでクリックすると、クライアント端末３の表示部６０には図２１に示すような画面が表示される。
【０１１１】
図２１に示す画面が表示されると、図１１のステップＳ２に示すように、クライアント端末３の表示部６０の地図表示部６２には、京都市内の地図が表示される。なお、この場合、クライアント端末３の地図表示部６２には日本全体の地図を表示するようにして、マウスのスクロールボタンにて地図を拡大操作するようにしても良い。
【０１１２】
ここでは、最初に京都市内の地図を表示しているが、任意に設定した地域を表示させるようにしても良い。図２１に示すように、京都市内の地図が表示された時に、印刷会社と契約している全スーパーの位置が旗印のマークとして表示されるようになっている。なお、すべてのスーパーの位置にマークがデータとして格納されているが、すべてを表示すると画面が見にくくなるので、適宜な位置のスーパーに対応したマークを表示させている。もちろん、画面を拡大操作すると、画面上に表示されるスーパーが位置している箇所に旗印のマークがすべて表示されるようになっている。これは電子地図データ提供端末５側のソフトウエアによるものである。また、この時点では、スーパーの位置に対応した旗印のマークを表示させないようにしても良い。
【０１１３】
これは、次ボタン６１がクリックされることで、クライアント端末３からの地図表示要求により主制御装置１４の地図表示用接続部３０を介して電子地図データ提供端末５からの電子地図データをクライアント端末３の画面に電子地図として表示させているものである。
また、主制御装置１４の店舗表示制御部３１により地図表示用接続部３０を介して電子地図データ提供端末５のデータベースの旗印のマークの店舗位置データのレイヤーＬを制御して旗印のマークをクライアント端末３の画面の電子地図上に重ね合わせて表示させている。
【０１１４】
次に、図１１のステップＳ３に移行して、図２１に示す配布地域入力欄６４のプルダウンメニューからチラシを配布したい地域を選択する。なお、配布地域入力欄６４の下方に設けられている店舗名入力欄６５については後述する。配布地域入力欄６４のプルダウンメニューには、例えば、京都市の地区である上京区、中京区、下京区、左京区、右京区等が表示される。ここでは、チラシを配布したい地域が、京都市の右京区とすると、配布地域入力欄６４のプルダウンメニューから「右京区」を選択し、検索ボタン６６をクリックする（ステップＳ４参照）。
【０１１５】
なお、この配布地域入力欄６４には、京都市以外の郡部や他府県で小さな市町村であれば、例えば、京都市の右京区の広さに対応した広さの地域名が表示されるようになっている。すなわち、クライアント端末３の画面に表示可能な数のスーパーが表示され得るようなスーパーの店舗数に応じた広さの地域を予めサーバ装置１側が設定しているものである。
また、地域名をプルダウンメニューからではなく、クライアント端末３のキーボードから直接入力するようにしても良い。かかる場合、データベース１６のチラシデータファイル４６に格納されている配布主の住所から検索・抽出が可能である。
【０１１６】
ステップＳ５に示す検索結果において、該当するスーパーがあった場合には、図１２のステップＳ６及び図２２に示すように、該当する１店又は複数のスーパーの位置（旗印）と、その位置をほぼ中心とする共同チラシを配布する円形や楕円形の配布エリアＤＡがクライアント端末３の地図表示部６２に表示される。すなわち、地図表示部６２にて表示されている右京区の地図上に旗印のマークと円形や楕円形の配布エリアＤＡとが電子地図上に重ね合わせて表示される。ここでは、クライアント端末３の画面に７店のスーパーＡ〜Ｇが検索されて表示されている。
【０１１７】
また、同時にカレンダー形式とした広告日一覧表示部６８では、該当するすべての配布日（地図表示部６２に表示されているすべてのスーパーが共同チラシを配布する配布日）が他の色とは異なる例えば緑色に着色されて表示される。このように、該当するチラシの配布日のすべてを一覧表示させ、また、チラシが配布される配布エリアＤＡを情報として表示（公開）させているので、チラシの配布エリアＤＡと配布日とを広告依頼人に認識させることができ、共同チラシへの参加意欲を高めさせることができる。
【０１１８】
次に、図１２のステップＳ７に示すように、広告依頼人が配布したい日をクライアント端末３の広告日一覧表示部６８（図２２参照）の日にちの数字をクリックすると、クライアント端末３の画面で表示されているスーパーの中からサーバ装置１側で該当する日にちの検索処理が行なわれ、クライアント端末３の地図表示部６２において、該当するスーパーとその配布エリアＤＡの表示が残り、また、該当しない、つまり、その日にちはチラシを配布しないスーパーとその配布エリアＤＡが消去される。また、同時に共同広告の申し込みがすでに所定の申込件数に達している場合には、当該スーパーの配布エリアＤＡ内が例えば、赤色に着色されて表示される（ステップＳ８参照）。
【０１１９】
図２３は上記の状態を示しており、クライアント端末３からの日にちの要求による検索結果と、当該日にちにチラシが配布されるもののすでに所定の申込件数に達していた場合の結果とが表示されている。
すなわち、５店のスーパーＡ、Ｂ、Ｃ、Ｅ、Ｆが当該日にチラシが配布され、２店のスーパーＤ、Ｇ（図２２参照）が当該日にチラシを配布しないので消去されている。そして、クライアント端末３の地図表示部６２に表示されているスーパーＦのみが既に所定の申込件数に達しているために、スーパーＦの配布エリアＤＡ内を例えば、赤色に着色して、本来はその日にチラシを配布しているものの、既に共同広告の申込は不可であること表示している。
【０１２０】
これにより、広告依頼人側に着色表示されている配布エリアＤＡは広告の申込が不可であることを認識させることができ、また、本来はその日にもチラシが配布されるものであることを認識させることができ、そのため、広告の申込を早い目にしなければならないということも認識させることができる。
【０１２１】
また、ステップＳ９に示すように、上記の旗印のマークがクライアント端末３の画面にてクリックされた時には、図２３に示すように、配布内容表示部７２に、スーパーの店舗名、配布枚数、チラシ１枚当たりの単価、費用の総額等が表示され、店舗写真表示部７７には、スーパーの店舗写真が表示される（図１２のステップＳ１０参照）。
なお、旗印のマークをクリックすると、当該スーパーの配布エリアＤＡ内が着色され、現在、選択しているスーパーの配布エリアＤＡが容易に認識できるようになっている。図２４はスーパーＡを選択（旗印のマークをクリック）した場合を示し、該スーパーＡの配布エリアＤＡ内を着色して表示している状態を示している。
【０１２２】
図２５はスーパーＣを選択した場合を示し、スーパーＡの配布エリアＤＡ内は着色を解除し、選択したスーパーＣの配布エリアＤＡ内を着色表示させている。つまり、スーパーを選択する毎に該選択したスーパーの配布エリアＤＡのみを着色表示させて、現在どのスーパーを選択しているかをクライアント端末３側の広告依頼人に容易に認識できるようにしている。
また、スーパーを選択してクリックする毎に、配布内容表示部７２には選択したスーパーの店舗名、チラシの配布枚数、費用の総額がそれぞれ表示され、店舗写真表示部７７には選択したスーパーの店舗写真が表示されるようになっている。なお、チラシの配布日は広告日一覧表示部６８にて緑色に着色しているので、配布日を認識できるが、配布内容表示部７２に確認用として配布日を表示させるようにしても良い。
【０１２３】
このように、チラシを配布したい地域（例えば、右京区）と配布日を選択することで、当該日の広告の申込の可否が即座に分かり、また、スーパーの地図上の店舗位置にある旗印のマークをクリックすると、チラシの配布枚数、費用、店舗名、店舗写真等を即座に分かるようになっている。
また、スーパーを選択する毎に、該選択したスーパーの配布エリアＤＡが着色表示されるので、現在どのスーパーを選択しているのかがクライアント端末３の広告依頼人に容易に認識させることができる。
【０１２４】
このようにして、地域を選択ないし入力し、その結果、広告日一覧表示部６８にて表示されているチラシの配布日を選択することで、１店あるいは複数店のスーパーの配布エリアＤＡが表示され、これにより、チラシを無差別的に配布したい配布エリアＤＡがほぼ具体的にクライアント端末３の広告依頼人に認識させることができ、そのため、共同チラシへの参加意欲を高めさせることができる。
また、地域を選択して、配布日を選択した時点でクライアント端末３の画面に表示される配布エリアＤＡの着色の有無により共同チラシへの広告の申込が可能か否かが即座に広告依頼人に認識させることができる。さらに、申込可能なスーパーの旗印のマークをクリックすることで、クライアント端末３の画面には、スーパーの店舗名、チラシの配布枚数、広告費用の総額等、また、店舗写真を確認することができる。
【０１２５】
このように、スーパーが配布するチラシの配布エリアＤＡ、配布日、配布枚数及び費用が表示されることで、チラシの配布に関することがすべて分かり、共同チラシに参加する場合の透明性を高めることができ、共同チラシへの参加意欲を広告依頼人に一層高めさせることができる。
【０１２６】
なお、広告日一覧表示部６８の右側の上下にボタン（図示せず）をそれぞれ設けておき、上部のボタンをクリックすると翌月のカレンダーが表示され、先月に戻る場合には、下側のボタンをクリックすることで戻ることができるようになっている。
【０１２７】
ここで、クライアント端末３からサーバ装置１に地域の選択入力があった場合、その要求を受けて該地域に該当する全スーパーの配布日をクライアント端末３の広告日一覧表示部６８に表示させるべく、サーバ装置１の主制御装置１４の広告日表示制御部３８により、データベース１６のスーパー別フォルダ１７の各チラシデータファイル４６より配布日である広告日を読み出して広告日一覧表示部６８に表示させている。
【０１２８】
なお、スーパーの店舗写真をクライアント端末３の画面上に表示させることで、広告効果を上げることができ、広告依頼人に共同広告の参加をしたいという気持ちを高めることができる。
また、スーパー名や店舗写真からどのような商品を販売しているか（扱っているか）を共同チラシの参加者にとって認識することができる。すなわち、共同チラシの参加者が販売しようとしている商品とスーパーが販売している商品と同じである場合には、事前に共同チラシへの参加を取り止めることができ、逆に異なる商品である場合には、共同チラシへの参加の意欲を高めることができる。
【０１２９】
ここで、主制御装置１４の店舗表示制御部３１がデータベース１６のチラシデータファイル４６から当該スーパーの店舗名データを読み出して画面上に店舗名（配布主）をクライアント端末３の画面に表示させるようにしている。さらに、主制御装置１４の配布内容表示制御部３２が、データベース１６のチラシデータファイル４６からそれぞれ配布日データ、配布枚数データ、単価データ及び総額データを読み出してサイト（クライアント端末３の画面）上に表示させるようにしている。
また、主制御装置１４の店舗表示制御部３１により地図表示用接続部３０を介して電子地図データ提供端末５のレイヤーＬを制御してクライアント端末３の画面に旗印のマークとして表示させている。さらに、主制御装置１４の配布エリア表示制御部１０３により地図表示用接続部３０を介して電子地図データ提供端末５のレイヤーＬを制御して各配布主に対応した配布エリアＤＡをクライアント端末３の画面に表示させている。
【０１３０】
次に、共同広告を申し込む場合について図１３により説明する。図１３のステップＳ１１に示すように、各スーパーの配布エリアＤＡや配布枚数、費用等の情報を見たいだけで、今回は共同広告を申し込まない場合は、図２５に示す終了ボタン７５をクリックして終了する（ステップＳ１２参照）。
ステップＳ１１において共同広告を申し込む場合は、ステップＳ１３に移行して、クライアント端末３の画面に表示されているスーパーのうち広告を申し込むのが１店舗、あるいは複数の店舗かを広告依頼人が判断をする。すなわち、チラシの配布エリアＤＡの大きさや（チラシが配布される地域の広さ）、配布枚数、費用等から１店舗のみで良いと判断した場合にはステップＳ１４に進む。なお、画面に表示されているスーパーの数が１店舗のみの場合は、自動的にステップＳ１５へと移行する。
【０１３１】
ステップＳ１４において、１店舗用の申込ボタン９３（図２５参照）をクリックすると、図２６に示す画面に切り替わる。ただし、基本的には図２５に示す画面と同じでありが、クライアント端末３の地図表示部６２の下方に、新たに、デザインボタン７３、共同広告の申込決定を行なう決定ボタン７４、クライアント端末３側のメールアドレスを入力するメールアドレス入力欄８０、クライアント端末３側のパスワードを入力するパスワード入力欄８１がそれぞれ表示される。
なお、図２６ではスーパーＣの配布エリアＤＡが着色された状態となっているが、申込ボタン９３（図２５参照）をクリックすると、配布エリアＤＡの着色が解除されて、新たに配布エリアＤＡを選択する画面が表示されるようになっている。
【０１３２】
そして、ステップＳ１５に示すように、クライアント端末３の画面に表示されているスーパーの中で希望するスーパーの旗印のマークをクリックしてスーパーを選択する。ここでは、例えばスーパーＣを選択すると図２６に示すように、クリックされたスーパーＣの配布エリアＤＡが着色されると同時にチラシを配布する店舗名、チラシの配布枚数、費用等が配布内容表示部７２に表示される。なお、配布日は、上述したように広告日一覧表示部６８あるいは配布内容表示部７２に表示するようにしても良い。
【０１３３】
また、共同広告を申し込むスーパーＣの以前に配布されたチラシのデザインを参考として見たい場合には、図１４のステップＳ１６からステップＳ１７に移行して、図２６に示すデザインボタン７３をクリックする。デザインボタン７３をクリックすると、選択している当該スーパーのチラシの版下データが表示される（ステップＳ１８参照）。
これは、サーバ装置１の主制御装置１４のチラシ版下表示制御部３３によりデータベース１６のスーパー別フォルダ１７の版下データファイル４４から選択されているスーパーの以前に配布された版下データが図２７に示すように、クライアント端末３の地図表示部６２に表示されるものである。これにより、広告依頼人が自己のクライアント端末３にてどのようなチラシのデザインかを参考として確認することができる。また、図２６に示す戻りボタン８２クリックすると、元の配布エリアＤＡを表示している画面に戻る。
【０１３４】
なお、チラシの版下データを表示させるのに、ここではデザインボタン７３をクリックした場合に表示させるようにしているが、図２５に示す状態でスーパーの旗印のマークをクリックすると、クライアント端末３の画面に別枠を設けて、そこでスーパーの店舗名、チラシの配布枚数等と同時に版下データを表示させるようにしても良い。
【０１３５】
ここで、図２７に示すように、クライアント端末３の画面に表示される版下データ５１は、上述したように以前に配布された版下データであり、当該日に配布するチラシの版下データは公開されない、つまりクライアント端末３からアクセス出来ないようになっている。これは、配布するチラシの版下データ５１には、特売の商品の構成や該商品の値段が付してあり、これらは各スーパーの戦略上、公開してはならないためである。
データベース１６に格納した配布予定のチラシの版下データ５１は、共同チラシを作成するために格納しているものであり、かかる版下データ５１は公開はされず、公開される版下データ５１は、以前に配布したチラシの版下データ５１である。
【０１３６】
なお、ステップＳ１６において、スーパーのチラシの版下データ５１を見ない場合には、ステップＳ１６からステップＳ１９に以降する。
【０１３７】
次に、図１４のステップＳ１９に示すように、図２６に示すメールアドレス入力欄８０にクライアント端末３のメールアドレスを入力し、パスワード入力欄８１にはパスワードを入力する。なお、このステップＳ１９ではパスワードを入力するようにしているが、パスワードの入力を省略するようにしても良い。
そして、図２６に示すようにクライアント端末３の画面には、共同広告を申し込んだスーパーＣの配布エリアＤＡ、広告日一覧表示部６８によるチラシの配布日、配布内容表示部７２によるスーパーの店舗名、チラシの配布枚数、費用、店舗写真表示部７７によるスーパーＣの店舗写真が表示されているので、間違いが無いかを確認し、更にメールアドレスとパスワードを確認し、申込の決定を行なう決定ボタン７４をクリックする（ステップＳ２０参照）。
【０１３８】
決定ボタン７４をクリックすると、図２８に示すように、クライアント端末３の地図表示部６２には、「共同広告の申し込みを受け付けました。後ほど広告枠の大きさをＥメールにて通知します。」の文字が表示される。そして、終了ボタン８３をクリックすることで、共同広告の申込の流れが終了し、クライアント端末３側ではサーバ装置１から広告枠の大きさの通知があるまで、待機状態となる（図１４のステップＳ２１参照）。
このように、クライアント端末３側からサーバ装置１へ広告の申し込みを行なう場合には、クライアント端末３側の広告依頼人は、クライアント端末３の画面に表示されている配布エリアＤＡを選択操作するだけで、当該配布エリアＤＡへの広告の申し込みを簡単にすることができる。
【０１３９】
また、決定ボタン７４がクリックされると、図４に示すサーバ装置１の主制御装置１４のクライアントデータ保存制御部２３は、入力されたメールアドレス、パスワードを図６に示すデータベース１６のクライアントデータファイル４３に格納する。
上記のクライアント端末３からサーバ装置１へのアクセスや、サーバ装置１でのクライアント端末３からのデータの受信、保存処理等が各配布日、配布地域に応じたチラシの共同広告の申込件数が所定の広告枠数に達するまで、あるいは所定の期日になるまで行なわれる。
【０１４０】
次に、図１３のステップＳ１３で、複数のスーパーに共同広告を申し込む場合のフローについて説明する。図２５に示すクライアント端末３の画面において、複数店舗用の申込ボタン９４をクリックすると（図１５のステップＳ３１参照）、図２９に示すような画面に切り替わる。
この図２９では、スーパーの配布エリアＤＡの着色が解除され、チラシの申し込み可能なスーパーＡ、Ｂ、Ｃ、Ｅを選択していく。この選択はスーパーの旗印のマークをクリックすることで行なわれる（ステップＳ３２参照）。
【０１４１】
ステップＳ３３に示すように、スーパーの旗印のマークをクリックする毎に配布エリアＤＡが着色され、同時に配布内容表示部７２には、複数の店舗名が表示され、チラシの配布枚数と費用はそれぞれ合計されて、配布枚数の合計の枚数と費用の合計した総額が配布内容表示部７２に表示される。また、店舗写真表示部７７には選択したスーパーの店舗写真がそれぞれ表示される。
ステップＳ３４において、他のスーパーを選択しない場合はステップＳ３５に移行する。ここで、例えば、スーパーＡ、Ｂ、Ｃを選択（共同広告の申込）をした場合、図３０に示すように、スーパーＡ、Ｂ、Ｃの各配布エリアＤＡが着色された状態となっていて、選択したスーパーの確認が容易となっている。
【０１４２】
そして、ステップＳ３５に示すように申し込んだ各スーパーのチラシのデザインを見たい場合には、デザインボタン７３をクリックすることで（図１６のステップＳ３６参照）、共同チラシを申し込む各スーパーのチラシの版下データが表示されるようになっている（ステップＳ３７参照）。
ここでは、３店のスーパーＡ、Ｂ、Ｃのチラシの版下データがスクロール可能な状態で地図表示部６２に表示されるようになっている。そして、ステップＳ３７以降は、図１４に示すステップＳ１９へ移行する。
【０１４３】
このように、クライアント端末３側からサーバ装置１へ複数の配布主（スーパー）の配布エリアＤＡへ一括して広告を申し込む場合は、クライアント端末３側の広告依頼人は、クライアント端末３の画面に表示されている複数の配布エリアＤＡを選択操作するだけで、当該複数の配布エリアＤＡへの一括した広告の申し込みを簡単にすることができる。
また、複数の配布エリアＤＡに対して一括して広告を申し込む場合におけるチラシの総配布枚数や総費用に関しては、配布エリアＤＡを選択する毎にチラシの総配布枚数及び総費用情報がクライアント端末３側に表示され、クライアント端末３側の広告依頼人にとってチラシの総配布枚数及び総費用を確認しながら広告を申し込むことができ、また、広告費用などの透明性を確保ないし向上させることができる。
【０１４４】
次に、ある特定のスーパーに広告依頼人が共同広告を申し込む場合であって、且つチラシのこれから先の配布日を知りたい場合であり、１の配布日、あるいは複数の配布日に共同広告を申し込む場合について説明する。
図１７に示すように、図１１のステップＳ２においてはクライアント端末３の画面には図２１に示すような状態が表示されている。そして、図１７のステップＳ４１に示すように、配布地域入力欄６４のプルダウンメニューから特定のスーパーが位置している地区を選択し、さらに、店舗名入力欄６５から広告依頼人が共同チラシの広告を申し込むスーパーの店舗名をプルダウンメニューから選択する（ステップＳ４２参照）。なお、店舗名入力欄６５への店舗名の入力は直接キーボード等から入力する構成でも良い。
【０１４５】
チラシの地域と店舗名を入力した後に、ステップＳ４３に示すように、クライアント端末３の画面上の検索ボタン６６（図２１参照）をクリックすると、ステップＳ４４に示すように、この検索結果により所望のスーパーの店舗位置と、この店舗位置を中心としたほぼ円形の配布エリアＤＡが図３１に示すような画面に切り替わってクライアント端末３に表示される。
【０１４６】
図３１に示すように、クライアント端末３の画面の店舗名入力欄６５の下方には、店舗名表示部９５、配布日一覧表示部９６、総計表示部９８が設けられている。店舗名表示部９５は、店舗名入力欄６５にて選択した特定のスーパーの店舗名、該スーパーの住所、電話番号等が確認用として表示される。
店舗名表示部９５の下方の配布日一覧表示部９６は、特定のスーパーが現在から例えば、３カ月先までの設定したチラシの配布日、配布枚数及び費用が、異なる配布日毎に表示されるようになっている。また、各配布日の欄には、当該配布日に配布されるチラシに共同広告を申し込む場合の申込ボタン９７がそれぞれ設けられている。
【０１４７】
ここでは、例としてスーパーＡが配布するチラシに共同広告を申し込む場合を示しており、クライアント端末３の地図表示部６２には当該スーパーＡの店舗位置に上記と同様に旗印のマークが表示され、この旗印のマークをほぼ中心とした略円形の配布エリアＤＡが電子地図上に重ね合わせて表示され、更に配布エリアＤＡ内は任意の色にて着色して表示されている。
【０１４８】
配布日一覧表示部９６は、例えばスクロール形式で全ての配布日の閲覧が可能となっており、スーパーＡが予め決めた配布日がすべて表示され、クライアント端末３側の広告依頼人は、任意の配布日を選択可能となっている（図１８のステップＳ４５参照）。したがって、共同チラシに参加する場合の今後の予定が立て易くなり、また、特定の配布主に対して同一の配布エリアＤＡで間隔をおいて、集中的にチラシを配布することが可能となる。これにより、共同チラシに参加しようとする意欲を広告依頼人側に一層高めさせることができる。
なお、配布日一覧表示部９６に当該スーパーの共同チラシのすべての配布日を表示させた場合、すでに広告の申込がいっぱいになっている場合は、該当する配布日の部分を赤色に着色したり、配布日や申込ボタン９７の部分を薄くして申込が不可であることを表示させるようにしている。これにより、広告の申込の可能な日を広告依頼人側に即座に認識させることができる。この着色等は、サーバ装置１の配布内容表示制御部３２にて着色制御される。
【０１４９】
ステップＳ４６に示すように、共同広告を申し込む場合は、ステップＳ４７に移行して、各配布日の欄に設けられている申込ボタン９７をクリックする。この申し込みは、１の配布日でも良く、複数の配布日でも良い。
複数の配布日を申し込む場合は、各配布日の欄の申込ボタン９７をクリックしていく。申込ボタン９７をクリックする毎に、総計表示部９８には、チラシの配布枚数の合計と、費用の総額とが表示され、広告依頼人はチラシの配布枚数と費用の総計が即座に分かるようになっている。また、申込ボタン９７をクリックした配布日を着色表示したり、網かけしたり、あるいは総計表示部９８に申し込んだ配布日の一覧を分かり易く表示させるようにしている。この着色等はサーバ装置１の配布内容表示制御部３２により制御される。
【０１５０】
所望の配布日の申し込みが終了すると、ステップＳ４８に示すようにメールアドレス入力欄８０にクライアント端末３のメールアドレスを入力し、パスワード入力欄８１にはパスワードを入力する。そして、図１９に示すステップＳ４９に示すように、クライアント端末３の店舗名表示部９５や、総計表示部９８に表示されているスーパーＡの住所、店舗名、各配布日、配布枚数、費用を確認し、決定ボタン７４をクリックすることで、図２８に示すような文言の表示がされて共同広告への申込が終了し、上述したようにサーバ装置１からの広告枠の通知があるまで待機状態となる。
【０１５１】
このように、広告依頼人が配布したい地域と、特定のスーパー名を入力してクライアント端末３はサーバ装置１へ検索要求があると、この検索・抽出結果により、クライアント端末３の地図表示部６２には、当該スーパーの店舗位置（旗印のマーク）と配布エリアＤＡが表示され、また、配布日一覧表示部９６には、当該スーパーがチラシを配布する配布日のすべてと、各配布日におけるチラシの配布枚数、チラシの配布費用が表示される。
これにより、クライアント端末３側の広告依頼人に対して、共同チラシに参加しようとする意欲を一層高めさせることができる。
【０１５２】
なお、図３１において、各配布日のチラシの版下データを見たい場合には、デザインボタン７３をクリックして、配布日一覧表示部９６の配布日の部分をクリックすることで、版下データが地図表示部６２に表示されるようになっている。また、他の配布日の版下データを見たい場合には、戻りボタン８２をクリックしてから先と同じ操作を行なう。
【０１５３】
次に、サーバ装置１側の制御動作について説明する。先ず、図３２のステップＳ６１において、クライアント端末３からサーバ装置１にアクセスがあり、図２０に示す次ボタン６１がクリックされた場合にはステップＳ６２に移行する。サーバ装置１側ではクライアント端末３からの地図等の表示要求により主制御装置１４の地図表示用接続部３０を介して電子地図データ提供端末５の日本全体あるいは京都市の地図をクライアント端末３の画面に表示させる。
同時に、サーバ装置１の主制御装置１４の店舗表示制御部３１により地図表示用接続部３０を介して電子地図データ提供端末５のレイヤーＬを制御して、スーパーの店舗位置である旗印のマークをクライアント端末３の画面に表示させる。
【０１５４】
次に、ステップＳ６３に進んで、クライアント端末３から地域が選択されて、さらに検索ボタン６６がクリックされた場合には、ステップＳ６４に移行する。ステップＳ６４において、主制御装置１４の検索制御部３５がデータベース１６のスーパー別フォルダ１７を検索し、選択された地域から該当するスーパーを抽出する。
【０１５５】
この検索結果から抽出された１店又は複数のスーパーの店舗位置の旗印のマークを主制御装置１４の店舗表示制御部３１にて地図表示用接続部３０を介して電子地図データ提供端末５のレイヤーＬを制御してクライアント端末３の画面に表示させる。また、上記店舗位置をほぼ中心とした配布エリアＤＡをクライアント端末３の画面に表示させるべく、主制御装置１４の配布エリア表示制御部１０３が地図表示用接続部３０を介して電子地図データ提供端末５のレイヤーＬを制御する。これにより、クライアント端末３の画面の電子地図上に旗印のマークと配布エリアＤＡが重ね合わせて表示されることになる。
【０１５６】
このようにして、ステップＳ６５に示すように、検索結果から該当する１店又は複数のスーパーの位置（旗印のマーク）と、その位置を中心とする共同チラシの配布エリアＤＡをクライアント端末３の画面の電子地図上に重ね合わせて表示させる。
また、同時にサーバ装置１の主制御装置１４の広告日表示制御部３８がデータベース１６のスーパー別フォルダ１７から抽出されたスーパー（ここでは、図２２に表示されているスーパーＡ〜Ｇ）のすべての配布日データを読み出して、クライアント端末３の広告日一覧表示部６８のカレンダーに該当するすべての配布日を緑色に着色して表示させる。
【０１５７】
次に、クライアント端末３の広告日一覧表示部６８から日にちの数字がクリックされて、当該日にちに共同チラシの配布があるか否かの検索要求があった場合には（図３３のステップＳ６６参照）、サーバ装置１の検索制御部３５がデータベース１６のチラシデータファイル４６を検索する（ステップＳ６７参照）。
そして、当該日にちにチラシを配布する１店または複数店のスーパーを抽出し、店舗表示制御部３１にて地図表示用接続部３０を介して電子地図データ提供端末５のレイヤーＬを制御して、スーパーの位置（旗印のマーク）の表示を維持させると共に、配布エリア表示制御部１０３により地図表示用接続部３０を介して電子地図データ提供端末５のレイヤーＬを制御して配布エリアＤＡの表示を維持させる（ステップＳ６８参照）。
【０１５８】
また、検索制御部３５による検索結果により、当該日にちにチラシが配布されないスーパーがあった場合には、店舗表示制御部３１により地図表示用接続部３０を介して電子地図データ提供端末５のレイヤーＬを制御して、該スーパーの店舗位置を示している旗印のマークの除去を行ない、同時に、配布エリア表示制御部１０３により地図表示用接続部３０を介して電子地図データ提供端末５のレイヤーＬを制御して、該スーパーの配布エリアＤＡの除去を行ない、クライアント端末３の地図表示部６２には、図２３に示すように該当するスーパーの旗印のマークと配布エリアＤＡとを表示させる。
【０１５９】
これにより、チラシの配布日を希望した場合に、希望する配布エリアＤＡでチラシの配布が可能か否かが直ぐに分かるものであり、広告依頼人がチラシを配布したい日にどの配布主がチラシを配布するのかが広告依頼人側に即座に認識させることができ、広告への参加意欲を一層高めることができる。また、希望した日であってチラシを配布したい配布エリアＤＡが消去されている場合には、当該日にはチラシが配布されないことが分かり、他の配布日や配布エリアＤＡへの変更をスムーズに行なわせることができる。
【０１６０】
また、広告申込確認制御部３４にてデータベース１６の申込件数データファイル４２のデータにより、当該日にちにおける各スーパーの共同チラシの申込件数が所定の申込件数に達しているか否かを判断して（ステップＳ６９参照）、すでに所定の申込件数に達している場合には（ステップＳ７０参照）、広告申込確認制御部３４からの着色表示要求により配布エリア表示制御部１０３が地図表示用接続部３０を介して電子地図データ提供端末５のレイヤーＬを制御して当該スーパーの配布エリアＤＡを、例えば赤色に着色し（図３４のステップＳ７２参照）、配布エリアＤＡを赤色に着色しているスーパーは（図２３では、スーパーＦ参照）、既に共同チラシの申込件数はすでにいっぱいで共同広告の申し込みが不可能であることを、クライアント端末３側に認識させるようにしている。
【０１６１】
また、ステップＳ７０において、広告申込確認制御部３４が各スーパーの申込件数を判断した結果、まだ所定の申込件数に達していないと判断した場合には、図３４のステップＳ７１に示すように、広告申込確認制御部３４からの非着色表示要求により配布エリア表示制御部１０３が地図表示用接続部３０を介して電子地図データ提供端末５のレイヤーＬを制御して当該スーパーの配布エリアＤＡを着色せずにその表示の状態をそのまま維持させる（図２３のスーパーＦ以外のスーパーＡ・・等参照）。
【０１６２】
これにより、共同チラシの日にちの数字をクリックした時に、広告の申込件数が既にいっぱいになっている場合には、当該スーパーの配布エリアＤＡが着色されていることで、クライアント端末３側は、一見して共同広告の申込が不可能であることが認識することができる。
また、クライアント端末３側は、着色されていない配布エリアＤＡのスーパーには共同広告の申込が可能であることが即座に認識することができる。
【０１６３】
次に、図３４のステップＳ７３において、クライアント端末３側からスーパーの旗印のマークがクリックされて、チラシに関する配布内容の表示要求があった場合には、図３５のステップＳ７４に進んで配布エリア表示制御部１０３により地図表示用接続部３０を介して電子地図データ提供端末５のレイヤーＬを制御してクライアント端末３の画面に表示されている当該スーパーの配布エリアＤＡ内を着色表示させて、クライアント端末３側に当該スーパーを選択している旨を認識させる。
【０１６４】
また、主制御装置１４の広告日表示制御部３８により当該スーパーがチラシを配布する日に対応した広告日一覧表示部６８（クライアント端末３の画面）のカレンダーの日にちの数字を点滅制御させる。さらに、配布内容表示制御部３２によりデータベース１６のチラシデータファイル４６から該当するスーパーの店舗名、チラシの配布枚数、広告費用であるチラシ１枚当たりの単価及び総額を読み出してクライアント端末３側に表示させる。また、同時に店舗表示制御部３１によりデータベース１６のチラシデータファイル４６から店舗写真データを読み出してクライアント端末３の画面に表示させる。
【０１６５】
なお、クライアント端末３側から任意にスーパーを選択して順次旗印のマークをクリックした場合には、配布エリア表示制御部１０３が地図表示用接続部３０を介して電子地図データ提供端末５のレイヤーＬを制御して以前の配布エリアＤＡの着色を解除し、新しく選択されたスーパーの配布エリアＤＡ内を着色表示させる。そして、新しく選択されたスーパーの店舗名、配布枚数、費用等を配布内容表示制御部３２によりクライアント端末３の画面に表示させ、また、店舗表示制御部３１によりデータベース１６のチラシデータファイル４６から店舗写真データを読み出してクライアント端末３の画面に表示させる。
【０１６６】
次に、図３５のステップＳ７５において、クライアント端末３から共同広告の申込要求があり、その申込要求が、１店舗用の申込ボタン９３か、複数店舗用の申込ボタン９４からかサーバ装置１の店舗数申込判断制御部１０５が判断する（ステップＳ７６参照）。
クライアント端末３側で１店舗用の申込ボタン９３がクリックされて申込要求があった場合には、店舗数申込判断制御部１０５が１店舗のみの申込要求であると判断する。また、店舗数申込判断制御部１０５からの指令により配布エリア表示制御部１０３により地図表示用接続部３０を介して電子地図データ提供端末５のレイヤーＬを制御して配布エリアＤＡの着色を解除する。そして、図３６のステップＳ７７において、申し込むスーパーの旗印のマークがクリックされて、クライアント端末３から広告申込要求があった場合にはステップＳ７８に移行する。
【０１６７】
ステップＳ７８では、サーバ装置１の配布エリア表示制御部１０３により地図表示用接続部３０を介して電子地図データ提供端末５のレイヤーＬを制御し、選択されたスーパーの配布エリアＤＡを着色して、その着色した配布エリアＤＡをクライアント端末３の画面に表示させる。同時に当該スーパーがチラシを配布する日に対応したクライアント端末３の広告日一覧表示部６８の日にちの数字をサーバ装置１の広告日表示制御部３８により点滅表示させる。
また、サーバ装置１の配布内容表示制御部３２によりスーパーの店舗名、チラシの配布枚数、費用をデータベース１６のチラシデータファイル４６から読み出してクライアント端末３の配布内容表示部７２に表示させ、また、店舗表示制御部３１により、当該スーパーの店舗写真をデータベース１６のチラシデータファイル４６から読み出してクライアント端末３の店舗写真表示部７７に表示させる。
【０１６８】
次に、ステップＳ７９に示すように、クライアント端末３から選択されているスーパーのデザインボタン７３がクリックされて、サーバ装置１にチラシの版下データの表示要求があった場合には、図３７のステップＳ８０に示すように、サーバ装置１の主制御装置１４のチラシ版下表示制御部３３によりデータベース１６の版下データファイル４４から図１０に示す版下データ５１を読み出して、該版下データ５１をクライアント端末３の画面上に表示させる。
次に、ステップＳ８１に進んで、クライアント端末３からメールアドレスとパスワードが送られてくるので、主制御装置１４側ではクライアントデータ保存制御部２３によりデータベース１６のクライアントデータファイル４３にクライアント端末３別にメールアドレスやパスワードを格納していく。
【０１６９】
次に、図３８に示すステップＳ８２に示すように、クライアント端末３から決定ボタン７４がクリックされて広告の申込決定要求があった場合には、サーバ装置１の主制御装置１４の広告申込確認制御部３４により該クライアント端末３の共同広告の申し込みをデータベース１６のクライアントデータファイル４３に保存処理を行なう。
ステップＳ８２からステップＳ８３に移行して、主制御装置１４の配布内容表示制御部３２により共同広告を受け付けた旨のメッセージをクライアント端末３の画面に表示させる。
【０１７０】
また、ステップＳ８４に示すように、主制御装置１４のカウンタ制御部２２により申込件数をカウントアップして該申込件数データをデータベース１６の申込件数データファイル４２に保存処理を行なう。
上記のクライアント端末３からの申込処理が期日制御部２４で管理している各スーパーのチラシの配布日の前の予め設定した申込期日になるまで行なわれ、また、予め設定した申込件数に達した場合は、広告の申込が不可として、クライアント端末３から日にちの検索があった場合には、広告申込確認制御部３４からの着色表示要求により配布エリア表示制御部１０３により地図表示用接続部３０を介して電子地図データ提供端末５のレイヤーＬを制御して、当該スーパーの日にちに該当する場合における配布エリアＤＡ内を赤色に着色表示させる。
【０１７１】
ステップＳ８５において、申込期日データファイル４０から予め設定している申込期日データ（締め切り期日データ）をタイマー機能を有する期日制御部２４が読み出して現在日時と比較し、申込期日（締め切り期日）になっている場合にはステップＳ８６に移行する。ステップＳ８６では、広告申込確認制御部３４により申込件数データファイル４２から共同広告の申込件数データを読み出して申込件数を確認する。
ステップＳ８６において、チラシに予め割り当てられた申込件数に達している場合にはステップＳ８８に移行し、広告枠数制御部２５により予め定められている広告枠の横何ｃｍ×縦何ｃｍのスペース（大きさ）を決定し、データベース１６の広告枠データファイル４１に格納する。
【０１７２】
ステップＳ８６において、予め割り当てられている申込件数に達しない場合にはステップＳ８７に移行し、広告枠演算・決定制御部２６により、全体の広告スペースと申込件数から１件当たりの広告枠のスペースを演算をして決定を行ない、その広告枠の横何ｃｍ×縦何ｃｍのスペースを上記広告枠データファイル４１に上書き等の保存処理を行なう。
かかる場合、１件当たりの広告枠の大きさがステップＳ８８の場合と比べて大きく決定されることになる。
【０１７３】
次に、ステップＳ８９に示すように、決定された広告枠のスペース（大きさ）を主制御装置１４の通知制御部２７により広告枠データファイル４１から読み出すと共に、電子メールサーバ部２９を駆動制御して電子メールにより広告依頼人の各クライアント端末３へ送信する。
【０１７４】
ここで、図２７に示すように、この例ではチラシの共同広告の枠数（申込件数）を５つとしており、５件の申込があった場合には、図９に示す予め定められているスペース（大きさ）が広告枠５３となる。しかし、上記図３８のステップＳ８７において、申込件数が２件の場合は、本実施形態では図９に示す予め定めた大きさのスペースの広告枠５３ではなく、図３９に示すように、共同広告部５２の面積の略１／２の大きさのスペースを広告枠５３としている。
また、申込件数が１件の場合は、図４０に示すように、共同広告部５２のほぼ全体のスペースの大きさと同じくらいの大きさの広告枠５３となる。この広告枠５３の大きさの演算処理は図４に示す主制御装置１４の広告枠演算・決定制御部２６にて行なわれる。
【０１７５】
なお、共同広告の申込数に関係なく１件当たりの費用は固定されており、申込数が１件でも５件の場合でも費用は同じである。そのため、申込件数が１件の場合では同じ費用で５倍の大きさの広告枠５３を使用することができる。
また、共同広告の申込がゼロの場合は、この共同広告部５２の部分に共同広告が行なえる旨の広告を行なったり、あるいはスーパーの商品広告を行なうようにしても良い。この場合、チラシの印刷、配布を依頼しているスーパー側がチラシの費用を全面的に負うことになる。
【０１７６】
次に、図３５のステップＳ７６において、複数の店舗用の申込ボタン９４がクリックされた場合のサーバ装置１側の制御について説明する。申込ボタン９４がクリックされることにより、サーバ装置１の店舗数申込判断制御部１０５がこれを判断し、申込ボタン９４がクリックされた後に、旗印のマークがクリックされる毎にクリックされた旗印のマークに対応した配布エリアＤＡを順次着色していき、同時にチラシの配布枚数、費用をそれぞれ合計していくように総計演算・表示制御部１０４に店舗数申込判断制御部１０５が指令を送る。
また、店舗数申込判断制御部１０５から配布エリア表示制御部１０３に指令を送って、配布エリア表示制御部１０３により地図表示用接続部３０を介して電子地図データ提供端末５のレイヤーＬを制御して、クリックされる毎に当該クリックされた配布エリアＤＡ内を順次着色していく。
【０１７７】
すなわち、図４１のステップＳ１０１に示すように、クライアント端末３から選択するスーパーの旗印のマークがクリックされる毎に、着色要求を受けた配布エリア表示制御部１０３により地図表示用接続部３０を介して電子地図データ提供端末５のレイヤーＬを制御して、クリックされたスーパーの配布エリアＤＡ内を着色してクライアント端末３の画面に表示させる。
また、選択するスーパーの旗印のマークがクリックされる毎に、総計要求を受けた総計演算・表示制御部１０４が、各スーパーに対応したチラシデータファイル４６から配布枚数、費用を読み出してチラシの配布枚数と広告費用とを合計していき、選択したすべてのスーパーのチラシの配布枚数と費用の総額とをクライアント端末３の配布内容表示部７２に表示させる。また、旗印のマークがクリックされる毎に、店舗名表示要求を受けた配布内容表示制御部３２によりクライアント端末３の配布内容表示部７２にクリックされたすべてのスーパーの店舗名をデータベース１６のチラシデータファイル４６から読み出して表示させる。
【０１７８】
次に、ステップＳ１０２において、デザインボタン７３がクリックされた場合には、チラシの版下データ表示要求を受けたチラシ版下表示制御部３３により、複数のスーパーの版下データファイル４４から以前に配布されたチラシの版下データをそれぞれ読み出して、クライアント端末３の画面に版下データを参考用として表示させる（ステップＳ１０３参照）。
なお、ここでクライアント端末３側でデザインボタン７３がクリックされた場合に、複数のスーパー名を表示させておき、そのスーパー名をクリックした時に、当該スーパーの版下データを表示させるようにしても良く、また、複数ページにわたってスクロール形式にて表示させるようにしても良い。
【０１７９】
ステップＳ１０３に示すように、クライアント端末３の画面に版下データを表示させた後は、図３７のステップＳ８１へ移行する。その後は図３７及び図３８に示すフローと同じなので、説明は省略する。
【０１８０】
次に、広告依頼人が特定のスーパーに共同広告を申し込む場合のサーバ装置１側の動作について説明する。この場合は、広告依頼人が広告を申し込むスーパーに関する店舗名と、このスーパーがどこの地域にあるかを知っている場合である。図４２に示すように、図３２のステップＳ６２の次のステップであるステップＳ１１１において、図２１に示すクライアント端末３の配布地域入力欄６４から特定の地域が選択入力され、次いで店舗名入力欄６５から広告依頼人が知っているスーパーの店舗名（例えば、○○スーパー京都駅前店など）が選択入力され、さらに検索ボタン６６がクリックされた場合にはステップＳ１１２に移行する。
【０１８１】
ステップＳ１１２において、主制御装置１４の検索制御部３５がデータベース１６のスーパー別フォルダ１７を検索し、検索により抽出された該当するスーパーの店舗位置と、配布エリアＤＡを図３１に示すようにクライアント端末３の画面に表示させる（ステップＳ１１３参照）。これは、スーパーの店舗位置である旗印のマークは店舗表示制御部３１により地図表示用接続部３０を介して電子地図データ提供端末５のレイヤーＬを制御して表示させ、配布エリアＤＡは配布エリア表示制御部１０３により地図表示用接続部３０を介して電子地図データ提供端末５のレイヤーＬを制御してクライアント端末３の画面に表示させている。
【０１８２】
また、ステップＳ１１４に示すように、サーバ装置１の検索制御部３５がデータベース１６を検索し、当該スーパーが今後配布する予定の配布日と、該配布日に配布するチラシの配布枚数と費用を抽出し、この抽出された複数の配布日、チラシの配布枚数、費用を図３１に示すクライアント端末３の配布日一覧表示部９６に配布内容表示制御部３２により一覧表示させる。
【０１８３】
なお、検索の結果、複数の配布日が抽出されるが、抽出された配布日が既に広告の申込がいっぱいになっている場合は、当該配布日を他の色に着色したり、配布日や申込ボタン９７を薄く表示させて、操作が不可となるようにしている。これは、サーバ装置１の主制御装置１４の広告申込確認制御部３４からの申込不可の表示要求により配布内容表示制御部３２により着色等の制御によりなされる。
【０１８４】
次に、図４３のステップＳ１１５に示すように、クライアント端末３から配布日一覧表示部９６の申込ボタン９７がクリックされて、サーバ装置１側に広告の申込要求があった場合には、店舗数申込判断制御部１０５からの指令を受けた総計演算・表示制御部１０４が該申込要求がある毎にチラシの配布枚数、費用を合計していき、その配布枚数の合計、費用の総額をクライアント端末３の総計表示部９８に表示させる（図３１参照）。
ステップＳ１１５からステップＳ１１６に移行して、クライアント端末３からメールアドレスとパスワードを受信して、一時的に保存する。
【０１８５】
そして、ステップＳ１１７に示すように、クライアント端末３からの決定ボタン７４がクリックされて、広告の申込要求があった場合には、クライアントデータ保存制御部２３により各チラシの配布日に対応した配布枚数、費用、メールアドレス等の広告依頼人に関するデータをクライアントデータファイル４３に保存し、また、チラシの配布枚数の合計、費用の総額を主制御装置１４の総計演算・表示制御部１０４によりデータベース１６のクライアント別フォルダ１９の所定のクライアントフォルダ１９ａに保存処理を行なう。
また、ステップＳ１１７以降は、図３８に示すステップＳ８３へ進む。
【０１８６】
次に、クライアント端末３側から共同広告の広告の作成について説明する。図４４のステップＳ１２１に示すように、サーバ装置１からクライアント端末３に広告枠の大きさの旨の通知があった場合にはステップＳ１２２に移行し、当該広告依頼人のクライアント端末３よりサーバ装置１の広告作成用のサイトにアクセスする。
ステップＳ１２３に示すように、サイトにアクセスした後に広告依頼人のパスワードを入力すると、図４６に示すような画面が表示され、その画面上の広告作成ボタン８４をクリックすると（ステップＳ１２４参照）、図４７に示すような画面が表示される。
【０１８７】
図４７に示すように、画面上に表示されている配布日入力欄８５に共同広告を申し込むチラシの配布日を入力し、店名入力欄８６にスーパーの店名を入力し（ステップＳ１２５参照）、次ボタン８７をクリックすると、図４８に示すような画面が表示されて、当該スーパーの版下データが表示される（ステップＳ１２６参照）。図４８で画面の次ボタン８８をクリックすると図４９に示すような画面が表示される。
【０１８８】
図４９に表示される広告入力欄９０は、前記申込件数によって決定された大きさに対応した広告入力欄９０であり、この広告入力欄９０内にステップＳ１２７に示すように、広告主、広告文、住所・電話番号・メールアドレス等の連絡先等を入力する。そして、図４５のステップＳ１２８に示すように、入力作成した広告の内容について間違いが無くＯＫであれば、図４９に示す保存ボタン９１をクリックすることで、広告依頼人の広告用版下がサーバ装置１側に保存されることになる（ステップＳ１２９参照）。
【０１８９】
次に、広告依頼人のクライアント端末３からの広告作成、保存等におけるサーバ装置１側の制御動作について説明する。図５０に示すステップＳ１４１において、広告依頼人のクライアント端末３からサーバ装置１側にアクセスがあった場合にはステップＳ１４２に移行する。
ステップＳ１４２では、クライアント端末３からの版下データの表示要求があった場合、サーバ装置１の図４に示す主制御装置１４のチラシ版下表示制御部３３が図６に示すＡスーパーフォルダ１７ａ内の版下データファイル４４から以前に配布した版下データを読み出してクライアント端末３の画面上に参考用に表示させる。
【０１９０】
次に、ステップＳ１４３に進んで、申込件数によって決定された広告枠のスペースを主制御装置１４の広告データ制御部３６がデータベース１６の広告枠データファイル４１から読み出してクライアント端末３の画面上に表示する（図４９参照）。この場合、画面の広告枠５３の大きさも横何ｃｍ×縦何ｃｍと表示され、広告依頼人にとっては、広告枠５３の大きさが分かることで、文字数や文字の大きさを任意に設定して、広告枠５３の大きさに応じて任意の版下を作成することができる。
【０１９１】
そして、ステップＳ１４４に示すように、クライアント端末３から保存ボタン９１がクリックされたことによる広告用版下データの保存要求により、クライアントデータ保存制御部２３が該広告用版下データをデータベース１６のクライアントデータファイル４３に保存する（ステップＳ１４５参照）。
【０１９２】
なお、広告用版下データをサーバ装置１側におけるオペレータが作成して、データベース１６のクライアントデータファイル４３に保存するようにしても良い。また、広告用版下データを広告依頼人がクライアント端末３からインターネット２を介さずに郵送したり、あるいは直接にサーバ装置１を管理している印刷会社に持ち込んだ場合には、これらの広告用版下データをオペレータの操作によりデータベース１６のクライアントデータファイル４３に保存するようになっている。
【０１９３】
次に、図５１のステップＳ１４６に進み、割り当てられた広告枠数のすべてに対して各クライアント端末３により広告用版下が作成・保存された場合には、これをサーバ装置１の主制御装置１４のチラシデータ保存制御部３７が集計保存している。このチラシデータ保存制御部３７により指令を受けた完成版下作成部１００が、ステップＳ１４７に示すように、版下データ５１の広告枠５３に、申込順に例えば共同広告部５２のスペースの上から順に割り当てていって版下データ５１を完成させる。そして、完成版下作成部１００は、完成したチラシ版下のデータとして該チラシ版下（完成した版下データ５１）をデータベース１６の完成版下データファイル４７に保存する。
【０１９４】
これにより、チラシ全体の版下（版下データ）が完成する（ステップＳ１４８参照）。この完成した版下を図５２に示す。また、サーバ装置１の主制御装置１４のサーバ装置用表示制御部２８により図５２に示すようにチラシの版下データを表示装置１３に表示させて、サーバ装置１側において確認することができる。
そして、このように版下が完成すると、完成版下データファイル４７から完成した版下データを読み出して、図外のプレートセッターに出力し、チラシの印刷に取りかかる。印刷後は新聞の販売店に配送するようになっている。
【０１９５】
図５２に示すように、共同広告の広告枠５３ａでは産地直売品の広告であり、例えば、日本海でとれた新鮮な魚を京都市内で販売する場合には好適例となる。また、日本海側で京都市内や大阪市内等で直接チラシを配布する場合には、遠く離れた場所でのチラシの印刷、配布方法などは見つけにくいが、本実施形態では、単に印刷会社のサイトにアクセスするだけで、遠く離れた地域にでも、簡単、且つ安価にチラシを配布することが可能となる。
【０１９６】
また、図５２において、広告枠５３ｂでは、イベント案内の広告であり、広告枠５３ｃではお店の開店案内の広告であり、広告枠５３ｄでは求人案内の広告であり、広告枠５３ｅでは、パン屋の広告の例である。
この図５２に示す例では、早く申し込んだ順に上から広告枠５３ａ〜５３ｅの順番に割り当てられていく。
【０１９７】
なお、上記実施形態では、広告依頼人の業種については特に言及はしていないが、クライアント端末３から広告を申し込む際に申込可能な業種の一覧を表示させて、その中から選択できるようにしておいても良い。
すなわち、スーパー側や共同広告の依頼人側の双方にとってイメージ的に悪い影響を与えるような業種、例えばパチンコ店、消費者金融関係、風俗店などの共同広告で一緒に載せたくないような業種は申し込めないようにし、これら以外の業種の中からのみ選択可能とするようにしても良い。
【０１９８】
また、図５２に示すような完成した版下データをスーパー側に確認をとってからチラシの印刷、配布をするようにしても良い。つまり、共同広告依頼人（共同広告の参加者）の広告内容がスーパー側等のチラシ配布主の許可条件に合致しているかの確認を取るようにしても良い。
さらには、共同チラシの参加者の代金の支払いの完了は、チラシの印刷前に行なうようにしても良い。
【０１９９】
このように本実施形態では、広告依頼人がクライアント端末３からサーバ装置１へアクセスして、チラシを配布したい地域を決めて検索要求をし、その検索結果において、１店又は複数のスーパーの位置と、そのスーパーの位置の周囲を囲って作成したチラシを配布する配布エリアＤＡがクライアント端末３の画面の地図上に重ね合わせて表示されるので、チラシの配布エリアが面として表示されることになり、チラシを配布したい地域（配布エリアＤＡ）が一目瞭然に広告依頼人に認識させることができ、これにより、共同広告に参加をしたいという気持ちを広告依頼人に高めさせることができる。よって共同チラシの作成へとスムーズに進めることができる。
【０２００】
また、任意に選択した地域にて新聞に折り込むチラシを利用して、無差別的に配布が可能となり、選択した配布エリアＤＡのほぼ全家庭にチラシの配布が可能ということから、広告への参加意欲を一層高めることができる。このように、チラシの配布エリアＤＡという情報を公開することで、広告への参加意欲を広告依頼人に高めさせることができる。また、ある程度、配布地域が限られている新聞の折り込みチラシの特性を利用して、広告依頼人が住む地域に関係なく、広告であるチラシを配布したい配布エリアＤＡをサーバ装置１にアクセスしたクライアント端末３の画面に表示させることで、広告への参加意欲を広告依頼人に高めさせることができる。
【０２０１】
また、広告依頼人がチラシへの共同広告を申し込んだ場合には、既に配布が決定されているチラシに広告を申し込むので、必ず共同チラシとして配布されるものであり、広告依頼人の期待に沿うことができる。また、チラシ配布主と広告依頼人との共同チラシのため、双方の共同チラシの製作費用の軽減化を図ることができる。
また、チラシ１枚当たりの費用と、配布枚数からの総額とを、クライアント端末３の画面に表示するようにしているので、広告依頼人にとってはチラシの配布枚数や共同チラシの費用が分かり、非常に透明性を高めることができる。
【０２０２】
さらに、本実施形態では、クライアント端末３からサーバ装置１にアクセスした場合に、クライアント端末３の画面に表示される、あるスーパー（チラシ配布主）のチラシの配布エリアＤＡは、単に１店の新聞販売店のチラシの配布エリアではなく、当該チラシ配布主の店舗位置を中心とした半径何キロメートルとしたエリアであり、複数、例えば全国紙のＡ新聞、Ｍ新聞、Ｙ新聞、地元のＫ新聞等の各新聞販売店が配布する地域を統合した配布エリアＤＡとしている。
そのため、あるスーパーがチラシを配布している配布エリアＤＡは、１店の新聞販売店の配布エリアよりは広く、共同広告に参加する場合の広告効果も広範囲に及ぼすことができ、共同広告に参加したいという気持ちを広告依頼人に一層高めさせることができる。
【０２０３】
（第２の実施の形態）
次に、第２の実施形態について説明する。先の実施形態では、地図データを地図会社が保有しているのを利用してサーバ装置１と電子地図データ提供端末５とを常時接続して、クライアント端末３からサーバ装置１にアクセスがあった場合、サーバ装置１を経由して電子地図データ提供端末５の電子地図をクライアント端末３の画面に表示させていたが、本実施形態では、サーバ装置１に電子地図データを持たせたものである。
【０２０４】
図５３は本実施形態のシステム構成図を示しており、図２と比べてサーバ装置１と常時接続していた電子地図データ提供端末５が削除したシステム構成となっている。
図５４はサーバ装置１のブロック図を示し、本実施形態ではデータベース１６に、スーパー別フォルダ１７とクライアント別フォルダ１９の他に地図データフォルダ１８を設け、この地図データフォルダ１８に電子地図データを格納している。
【０２０５】
データベース１６の地図データフォルダ１８には、先の実施形態における電子地図データ提供端末５の場合と同様に、例えば、日本全体の地図データが格納されており、この地図データをクライアント端末３の画面に電子地図として表示させ、クライアント端末３からの要求に応じてスーパーの位置表示（旗印のマーク）や当該スーパーのチラシの配布エリアＤＡを主制御装置１４がデータベース１６から読み出して該電子地図の上に重ね合わせてクライアント端末３の画面に表示させるようにしている。
【０２０６】
図５５は本実施形態のサーバ装置１の主制御装置１４の機能ブロック図を示し、図４に示す地図表示用接続部３０の代わりに、クライアント端末３からアクセスされた場合や、クライアント端末３の画面上で地図の拡大、縮小の場合、配布地域が選択されて検索結果により所定の地図をクライアント端末３の画面に表示させるための地図表示制御部１１０を設けている。主制御装置１４における他の基本的な構成は先の実施形態の場合と同じである。また、図５６はデータベース１６の構成を示している。
【０２０７】
図５７は、データベース１６のスーパー別フォルダ１７の構成を示しており、先の実施形態とは異なり、配布エリアデータファイル４５を設け、この配布エリアデータファイル４５に上記と同様の配布エリアＤＡを保存している。
【０２０８】
また、本実施形態では、主制御装置１４の地図表示制御部１１０は、クライアント端末３からサーバ装置１にアクセスがあった場合に、データベース１６の地図データフォルダ１８から地図データを読み出して、クライアント端末３の画面に地図そのもの（例えば、上述したように京都市内の地図）を表示制御させる機能を有している。
また、主制御装置１４の店舗表示制御部３１によりデータベース１６のチラシデータファイル４６から店舗位置を読み出してクライアント端末３の画面に旗印のマークとして表示させるようにしている。さらに、主制御装置１４の配布エリア表示制御部１０３によりデータベース１６の配布エリアデータファイル４５から各配布主に対応した配布エリアＤＡを読み出してクライアント端末３の画面に表示させるようにしている。
【０２０９】
先の実施形態と比べて、本実施形態では主制御装置１４の配布エリア表示制御部１０３と地図表示制御部１１０の機能が少し異なるだけで、クライアント端末３の画面に表示させる機能としては同様である。
【０２１０】
なお、上記データベース１６の地図データフォルダ１８に格納する電子地図データとしては、電子地図データ提供端末５の場合と同様な詳細な電子地図データでも良く、また、簡略化した電子地図データでも良い。そして、この地図データフォルダ１８に格納する電子地図データは、電子地図データを作成している会社から購入したものを格納するようにしても良く、また、サーバ装置１側で簡略な電子地図データを作成して、格納するようにしても良い。
また、本実施形態での電子地図データは、図８に示す構成と同様であり、特にレイヤーＬは同じであるが、レイヤーＢＬは地図として表示される電子地図データであれば上述した簡略化したものでも良い。
【０２１１】
本実施形態では、クライアント端末３の画面に表示させる制御方法は先の実施形態と同じであり、また、サーバ装置１側でデータベース１６に電子地図データ等を格納している以外は先の実施形態と同じであり、先の実施形態と同様の制御が行なわれ、同様の効果を奏する。
【０２１２】
なお、上記実施形態において、配布エリアＤＡを着色させる場合、該配布エリアＤＡ内を全面にわたって着色を行なっていたが、配布エリアＤＡの周囲の線のみを着色させるようにしても良い。
【０２１３】
上述した実施形態に示した処理を行なうプログラムをコンピュータにインストールすることにより、本発明のサーバ装置を構成することが可能となる。そのプログラムは、コンピュータにプレインストールされていても良く、また、フレキシブルディスク、ＣＤ−ＲＯＭ、ＤＶＤ−ＲＯＭ、ハードディスク等のコンピュータ読み取り可能な記録媒体にプログラムの形態で記録させておき、その記録媒体からコンピュータにプログラムをインストールするようにしても良い。
【図面の簡単な説明】
【０２１４】
【図１】本発明の第１の実施の形態における各スーパーがチラシを配布する場合の配布地域と配布枚数の一例を示す図である。
【図２】本発明の第１の実施の形態における共同チラシの作成システムの概略システム構成図である。
【図３】本発明の第１の実施の形態におけるサーバ装置のブロック図である。
【図４】本発明の第１の実施の形態における主制御装置の機能ブロック図である。
【図５】本発明の第１の実施の形態におけるデータベースの構成図である。
【図６】本発明の第１の実施の形態におけるデータベースのスーパー別フォルダの構成図である。
【図７】本発明の第１の実施の形態におけるチラシの配布エリアを作成する場合の説明図である。
【図８】本発明の第１の実施の形態における電子地図データ提供端末側の電子地図データ等のレイヤーの構成を示す説明図である。
【図９】本発明の第１の実施の形態におけるチラシの版下データを示す図である。
【図１０】本発明の第１の実施の形態における以前に配布したチラシの版下データを示す図である。
【図１１】本発明の第１の実施の形態におけるクライアント端末からサーバ装置へアクセスしてチラシの共同広告を申し込む場合の制御動作を示すフローチャートである。
【図１２】本発明の第１の実施の形態におけるクライアント端末からサーバ装置へアクセスしてチラシの共同広告を申し込む場合の制御動作を示すフローチャートである。
【図１３】本発明の第１の実施の形態におけるクライアント端末からサーバ装置へアクセスしてチラシの共同広告を申し込む場合の制御動作を示すフローチャートである。
【図１４】本発明の第１の実施の形態におけるクライアント端末からサーバ装置へアクセスしてチラシの共同広告を申し込む場合の制御動作を示すフローチャートである。
【図１５】本発明の第１の実施の形態におけるクライアント端末からサーバ装置へアクセスして複数のスーパーにチラシの共同広告を申し込む場合の制御動作を示すフローチャートである。
【図１６】本発明の第１の実施の形態におけるクライアント端末からサーバ装置へアクセスして複数のスーパーにチラシの共同広告を申し込む場合の制御動作を示すフローチャートである。
【図１７】本発明の第１の実施の形態におけるクライアント端末からサーバ装置へアクセスして特定のスーパーにチラシの共同広告を申し込む場合の制御動作を示すフローチャートである。
【図１８】本発明の第１の実施の形態におけるクライアント端末からサーバ装置へアクセスして特定のスーパーにチラシの共同広告を申し込む場合の制御動作を示すフローチャートである。
【図１９】本発明の第１の実施の形態におけるクライアント端末からサーバ装置へアクセスして特定のスーパーにチラシの共同広告を申し込む場合の制御動作を示すフローチャートである。
【図２０】本発明の第１の実施の形態におけるクライアント端末から共同広告を申し込む場合の説明図である。
【図２１】本発明の第１の実施の形態におけるクライアント端末から共同広告を申し込む場合の説明図である。
【図２２】本発明の第１の実施の形態におけるクライアント端末から共同広告を申し込む場合の説明図である。
【図２３】本発明の第１の実施の形態におけるクライアント端末から共同広告を申し込む場合の説明図である。
【図２４】本発明の第１の実施の形態におけるクライアント端末から共同広告を申し込む場合の説明図である。
【図２５】本発明の第１の実施の形態におけるクライアント端末から共同広告を申し込む場合の説明図である。
【図２６】本発明の第１の実施の形態におけるクライアント端末から共同広告を申し込む場合の説明図である。
【図２７】本発明の第１の実施の形態におけるクライアント端末から共同広告を申し込む場合の説明図である。
【図２８】本発明の第１の実施の形態におけるクライアント端末から共同広告を申し込む場合の説明図である。
【図２９】本発明の第１の実施の形態におけるクライアント端末から共同広告を申し込む場合の説明図である。
【図３０】本発明の第１の実施の形態におけるクライアント端末から共同広告を申し込む場合の説明図である。
【図３１】本発明の第１の実施の形態におけるクライアント端末から共同広告を申し込む場合の説明図である。
【図３２】本発明の第１の実施の形態におけるサーバ装置側での制御動作を示すフローチャートである。
【図３３】本発明の第１の実施の形態におけるサーバ装置側での制御動作を示すフローチャートである。
【図３４】本発明の第１の実施の形態におけるサーバ装置側での制御動作を示すフローチャートである。
【図３５】本発明の第１の実施の形態におけるサーバ装置側での制御動作を示すフローチャートである。
【図３６】本発明の第１の実施の形態におけるサーバ装置側での制御動作を示すフローチャートである。
【図３７】本発明の第１の実施の形態におけるサーバ装置側での制御動作を示すフローチャートである。
【図３８】本発明の第１の実施の形態におけるサーバ装置側での制御動作を示すフローチャートである。
【図３９】本発明の第１の実施の形態における広告の申込件数に応じて広告枠の大きさを自動的に変える場合の説明図である。
【図４０】本発明の第１の実施の形態における広告の申込件数に応じて広告枠の大きさを自動的に変える場合の説明図である。
【図４１】本発明の第１の実施の形態におけるサーバ装置側での制御動作を示すフローチャートである。
【図４２】本発明の第１の実施の形態におけるサーバ装置側での制御動作を示すフローチャートである。
【図４３】本発明の第１の実施の形態におけるサーバ装置側での制御動作を示すフローチャートである。
【図４４】本発明の第１の実施の形態におけるクライアント端末側での広告の版下を作成する場合の制御動作を示すフローチャートである。
【図４５】本発明の第１の実施の形態におけるクライアント端末側での広告の版下を作成する場合の制御動作を示すフローチャートである。
【図４６】本発明の第１の実施の形態におけるクライアント端末側ので広告の版下を作成する場合の説明図である。
【図４７】本発明の第１の実施の形態におけるクライアント端末側ので広告の版下を作成する場合の説明図である。
【図４８】本発明の第１の実施の形態におけるクライアント端末側ので広告の版下を作成する場合の説明図である。
【図４９】本発明の第１の実施の形態におけるクライアント端末側ので広告の版下を作成する場合の説明図である。
【図５０】本発明の第１の実施の形態におけるサーバ装置側でのチラシの版下を作成する場合の制御動作を示すフローチャートである。
【図５１】本発明の第１の実施の形態におけるサーバ装置側でのチラシの版下を作成する場合の制御動作を示すフローチャートである。
【図５２】本発明の第１の実施の形態における完成したチラシの版下を示す説明図である。
【図５３】本発明の第２の実施の形態における概略システム構成図である。
【図５４】本発明の第２の実施の形態におけるサーバ装置のブロック図である。
【図５５】本発明の第２の実施の形態におけるサーバ装置の主制御装置の機能ブロック図である。
【図５６】本発明の第２の実施の形態におけるサーバ装置のデータベースの構成図である。
【図５７】本発明の第２の実施の形態におけるデータベースのスーパー別フォルダの構成図である。
【符号の説明】
【０２１５】
１  サーバ装置
２  インターネット
３  クライアント端末
５  電子地図データ提供端末
１４  主制御装置
１６  データベース
２１  チラシ版下作成部
２３  クライアントデータ保存制御部
２５  広告枠数制御部
２６  広告枠演算・決定制御部
３０  地図表示用接続部
３１  店舗表示制御部
３２  配布内容表示制御部
３３  チラシ版下表示制御部
３４  広告申込確認制御部
３５  検索制御部
３８  広告日表示制御部
５１  版下データ
６４  配布地域入力欄
６５  店舗名入力欄
６８  広告日一覧表示部
７７  店舗写真表示部
９６  配布日一覧表示部
１０１  配布エリア作成部
１０２  配布エリアデータ保存制御部
１０３  配布エリア表示制御部
１０４  総計演算・表示制御部
１０５  店舗数申込判断制御部
１１０  地図表示制御部
ＤＡ  配布エリア
【図１】
2009277160.tif 000003
【図２】
2009277160.tif 000004
【図３】
2009277160.tif 000005
【図４】
2009277160.tif 000006
【図５】
2009277160.tif 000007
【図６】
2009277160.tif 000008
【図７】
2009277160.tif 000009
【図８】
2009277160.tif 000010
【図９】
2009277160.tif 000011
【図１０】
2009277160.tif 000012
【図１１】
2009277160.tif 000013
【図１２】
2009277160.tif 000014
【図１３】
2009277160.tif 000015
【図１４】
2009277160.tif 000016
【図１５】
2009277160.tif 000017
【図１６】
2009277160.tif 000018
【図１７】
2009277160.tif 000019
【図１８】
2009277160.tif 000020
【図１９】
2009277160.tif 000021
【図２０】
2009277160.tif 000022
【図２１】
2009277160.tif 000023
【図２２】
2009277160.tif 000024
【図２３】
2009277160.tif 000025
【図２４】
2009277160.tif 000026
【図２５】
2009277160.tif 000027
【図２６】
2009277160.tif 000028
【図２７】
2009277160.tif 000029
【図２８】
2009277160.tif 000030
【図２９】
2009277160.tif 000031
【図３０】
2009277160.tif 000032
【図３１】
2009277160.tif 000033
【図３２】
2009277160.tif 000034
【図３３】
2009277160.tif 000035
【図３４】
2009277160.tif 000036
【図３５】
2009277160.tif 000037
【図３６】
2009277160.tif 000038
【図３７】
2009277160.tif 000039
【図３８】
2009277160.tif 000040
【図３９】
2009277160.tif 000041
【図４０】
2009277160.tif 000042
【図４１】
2009277160.tif 000043
【図４２】
2009277160.tif 000044
【図４３】
2009277160.tif 000045
【図４４】
2009277160.tif 000046
【図４５】
2009277160.tif 000047
【図４６】
2009277160.tif 000048
【図４７】
2009277160.tif 000049
【図４８】
2009277160.tif 000050
【図４９】
2009277160.tif 000051
【図５０】
2009277160.tif 000052
【図５１】
2009277160.tif 000053
【図５２】
2009277160.tif 000054
【図５３】
2009277160.tif 000055
【図５４】
2009277160.tif 000056
【図５５】
2009277160.tif 000057
【図５６】
2009277160.tif 000058
【図５７】
2009277160.tif 000059